(57)【特許請求の範囲】
【請求項１】
相互容量の検出時操作的に駆動信号が提供される複数個の第一の導電ストライプと相互容量性カップリング信号を提供する複数個の第二の導電ストライプを有する互いに露出する複数個の導電ストライプ及び該複数個の導電ストライプとの間に直流電位を提供する奥遮断層が存在しない表示装置を備える１つの静電容量方式タッチスクリーンを提供する工程と、
同時に連続的に１つの駆動信号を少なくとも１つの第一の導電ストライプに提供する工程と、
駆動信号が毎回提供される時、第二の導電ストライプが提供する相互容量性カップリング信号によって１つの感知情報を生成する工程を含み、
そのうち、該感知情報の値それぞれは、３個の第二の導電ストライプ中の二対の第二の導電ストライプの信号の差の差であり、
前記差は表示装置からノイズを抑制し、
前記導電ストライプは該静電容量方式タッチスクリーンに対する外部導電物体それぞれのタッチ範囲が予定条件より大きいことをさせるとき、外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンの検出方法。
【請求項２】
前記予定条件はある幅又はある面積であり、前記第一の導電ストライプが露出する面積は前記第二の導電ストライプが露出する面積より大きいことを特徴とする請求項１記載の静電容量方式タッチスクリーンの検出方法。
【請求項３】
前記導電ストライプは静電容量方式タッチスクリーンに配置され、該静電容量方式タッチスクリーンの周囲は該表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差の差によって生成することを特徴とする請求項１記載の静電容量方式タッチスクリーンの検出方法。
【請求項４】
前記感知情報中で前記外部導電物体に対応する部分は少なくとも１つの零交差箇所を有し、零交差箇所それぞれは一つの正値と一つの負値の間に位置することを特徴とする請求項１記載の静電容量方式タッチスクリーンの検出方法。
【請求項５】
前記タッチ範囲が前記第一の導電ストライプが露出する面積をカバーする面積は、前記タッチ範囲が前記第二の導電ストライプが露出する面積をカバーする面積より大きいことを特徴とする請求項１記載の静電容量方式タッチスクリーンの検出方法。
【請求項６】
前記駆動信号が提供されない第一の導電ストライプは前記直流電位に接続され、且つ前記駆動信号が前記外部導電物体中で少なくとも一つの第一の外部導電物体によって前記導電ストライプから流出して前記外部導電物体中で少なくとも一つの第二の外部導電物体によって前記直流電位に接続される第一の導電ストライプへ流入する比率は、第二の外部導電物体の数の増加を連れて増加することを特徴とする請求項１記載の静電容量方式タッチスクリーンの検出方法。
【請求項７】
相互容量の検出時操作的に駆動信号が提供される複数個の第一の導電ストライプと相互容量性カップリング信号を提供する複数個の第二の導電ストライプを有する互いに露出する複数個の導電ストライプを含む静電容量方式タッチスクリーンであって、
複数個の開口を有する前記第二の導電ストライプを含有する下導電層、
前記第一の導電ストライプを含有する上導電層、
前記第一の導電ストライプと前記第二の導電ストライプとの間に介在する絶縁層、及び
前記上導電層を覆い、少なくとも１つの外部導電物体による接近又は接触されるための絶縁表層を含み、
前記上導電層は、前記下導電層よりも、上記絶縁表層に接近又は接触した前記外部導電物体に近く、
そのうち、前記第一の導電ストライプと前記第二の導電ストライプは複数個の交差区域に交差しており、且つ互いに露出し、
前記開口は該静電容量方式タッチスクリーンに対する前記開口は外部導電物体それぞれのタッチ範囲が予定条件より大きいことをさせるとき、前記外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーン。
【請求項８】
前記タッチ範囲が前記第一の導電ストライプが露出する面積をカバーする面積は前記タッチ範囲が前記第二の導電ストライプが露出する面積をカバーする面積より大きいことを特徴とする請求項７記載の静電容量方式タッチスクリーン。
【請求項９】
一つの制御回路を更に含み、
そのうち、該制御回路は
同時に連続的に１つの駆動信号を少なくとも１つの第一の導電ストライプに提供する工程と、
駆動信号が毎回提供される時、第二の導電ストライプが提供する相互容量性カップリング信号によって１つの感知情報を生成する工程と、を行い、
そのうち、該感知情報の値それぞれは一対の第二の導電ストライプの信号の差又は３個の第二の導電ストライプ中の二対の第二の導電ストライプの信号の差の差であり、
且つ、該静電容量方式タッチスクリーンは表示装置に装着され、前記導電ストライプと該表示装置との間に直流電位を提供する奥遮断層が存在しない、
前記差は表示装置からノイズを抑制することを特徴とする、請求項７記載の静電容量方式タッチスクリーン。
【請求項１０】
該静電容量方式タッチスクリーンの周囲は該表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成することを特徴とする請求項９記載の静電容量方式タッチスクリーン。
【請求項１１】
前記駆動信号が提供されない第一の導電ストライプは直流電位に接続され、且つ前記駆動信号が前記外部導電物体中で少なくとも一つの第一の外部導電物体によって前記導電ストライプから流出して前記外部導電物体中で少なくとも一つの第二の外部導電物体によって前記直流電位に接続される第一の導電ストライプへ流入する比率は、第二の外部導電物体の数の増加を連れて増加することを特徴とする請求項７記載の静電容量方式タッチスクリーン。
【請求項１２】
前記開口は複数個の仮導電プレートを含み、前記仮導電プレートの材質は前記導電ストライプの材質と同じであることを特徴とする請求項７記載の静電容量方式タッチスクリーン。
【請求項１３】
相互容量の検出時操作的に駆動信号が提供される複数個の第一の導電ストライプと相互容量性カップリング信号を提供する複数個の第二の導電ストライプを有する互いに露出する複数個の導電ストライプを含む静電容量方式タッチスクリーンであって、
前記導電ストライプは該静電容量方式タッチスクリーンに対する外部導電物体それぞれのタッチ範囲が予定条件より大きいことをさせるとき、外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーン。
【請求項１４】
前記タッチ範囲が前記第一の導電ストライプが露出する面積をカバーする面積は、前記タッチ範囲が前記第二の導電ストライプが露出する面積をカバーする面積より大きい、且つ、前記予定条件はある幅又はある面積であり、前記第一の導電ストライプが露出する面積は前記第二の導電ストライプが露出する面積より大きいことを特徴とする請求項１３記載の静電容量方式タッチスクリーン。
【請求項１５】
一つの制御回路を更に含み、
そのうち、該制御回路は
同時に連続的に１つの駆動信号を少なくとも１つの第一の導電ストライプに提供する工程と、
駆動信号が毎回提供される時、第二の導電ストライプが提供する相互容量性カップリング信号によって１つの感知情報を生成する工程と、を行い、
そのうち、該感知情報の値それぞれは一対の第二の導電ストライプの信号の差又は３個の第二の導電ストライプ中の二対の第二の導電ストライプの信号差の差であり、
且つ、該静電容量方式タッチスクリーンは表示装置に装着され、前記導電ストライプと該表示装置との間に直流電位を提供する奥遮断層が存在しない、
前記差は表示装置からノイズを抑制することを特徴とする、請求項１３記載の静電容量方式タッチスクリーン。
【請求項１６】
該静電容量方式タッチスクリーンの周囲は該表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成することを特徴とする請求項１５記載の静電容量方式タッチスクリーン。
【請求項１７】
前記駆動信号が提供されない第一の導電ストライプは直流電位に接続され、且つ前記駆動信号が前記外部導電物体中で少なくとも一つの第一の外部導電物体によって前記導電ストライプから流出して前記外部導電物体中で少なくとも一つの第二の外部導電物体によって前記直流電位に接続される第一の導電ストライプへ流入する比率は、第二の外部導電物体の数の増加を連れて増加することを特徴とする請求項１３記載の静電容量方式タッチスクリーン。
【請求項１８】
相互容量の検出時操作的に駆動信号が提供される複数個の第一の導電ストライプと相互容量性カップリング信号を提供する複数個の第二の導電ストライプを有する互いに露出する複数個の導電ストライプを有する１つの導電ストライプパターンと、直流信号が提供される１つの防護パターンとを備える１つの静電容量方式タッチスクリーンを提供する工程と、
同時に連続的に１つの駆動信号を少なくとも１つの第一の導電ストライプに提供し、且つ、１つの直流信号を、該駆動信号が提供されない第一の導電ストライプに提供する工程と、
駆動信号が毎回提供される時、第二の導電ストライプが提供する相互容量性カップリング信号によって１つの感知情報を生成する工程を含み、
そのうち、該感知情報の値それぞれは一対の第二の導電ストライプの信号の差又は３個の第二の導電ストライプ中の二対の第二の導電ストライプの信号の差の差であり、
前記差は表示装置からノイズを抑制し、
前記複数個の第一の導電ストライプと前記複数個の第二の導電ストライプそれぞれは互いに露出して互いに分離し、前記防護パターンと前記導電ストライプパターンは互いに露出し、
前記導電ストライプパターンは該静電容量方式タッチスクリーンに対する外部導電物体それぞれのタッチ範囲が予定条件より大きいことをさせるとき、前記タッチ範囲それぞれが前記防護パターンの露出面積をカバーする面積は、前記タッチ範囲それぞれが前記第二の導電ストライプの露出面積をカバーする面積より大きい、又は前記タッチ範囲それぞれが前記第一の導電ストライプの露出面積及び前記防護パターンの露出面積をカバーする面積は、前記タッチ範囲それぞれが前記第二の導電ストライプの露出面積をカバーする面積より大きい、そして、前記駆動信号が前記外部導電物体中で少なくとも一つの第一の外部導電物体によって前記第一の導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンの検出方法。
【請求項１９】
前記第二の導電ストライプは複数個の開口を有し、又は前記第一の導電ストライプ及び前記第二の導電ストライプは複数個の開口を有し、前記防護パターンは前記複数個の開口に位置する複数個の防護プレートと、直列に及び/又は並列に前記防護プレートに接続されて前記直流信号を提供する複数個の防護連接線を含むことを特徴とする請求項１８記載の静電容量方式タッチスクリーンの検出方法。
【請求項２０】
前記防護パターンは複数個の防護導電ストライプを含み、前記第一の導電ストライプそれぞれと前記第二の導電ストライプそれぞれの両側はそれぞれ１つの防護導電ストライプに隣接し、前記防護パターンは前記防護導電ストライプから成り、前記防護導電ストライプの輪郭は隣接の第一の導電ストライプ又は第二の導電ストライプと一致することを特徴とする請求項１８記載の静電容量方式タッチスクリーンの検出方法。
【請求項２１】
前記防護パターンは複数個の防護導電ストライプを含み、該防護導電ストライプそれぞれの両側はそれぞれ１つの第一の導電ストライプに隣接し、又は１つの第二の導電ストライプに隣接し、第一の導電ストライプ及び第二の導電ストライプの輪郭は隣接の防護導電ストライプと一致することを特徴とする請求項１８記載の静電容量方式タッチスクリーンの検出方法。
【請求項２２】
前記防護パターンは複数個の防護導電ストライプを含み、該防護導電ストライプは複数個の開口を有し、該防護導電ストライプ同士間の間隙は前記第一の導電ストライプと第二の導電ストライプのうち１つを露出し、前記開口は前記第一の導電ストライプと第二の導電ストライプのうち残りの１つを露出することを特徴とする請求項１８記載の静電容量方式タッチスクリーンの検出方法。
【請求項２３】
前記防護パターンは前記第一の導電ストライプと同じ層に配置され、前記第二の導電ストライプは前記第一の導電ストライプと同じ層に配置され、又は、絶縁表層から遠く離れる層に配置され、前記外部導電物体は該絶縁表層に接近又はタッチすることを特徴とする請求項１８記載の静電容量方式タッチスクリーンの検出方法。
【請求項２４】
外部導電物体それぞれは前記第二の導電ストライプとの容量性カップリングが、前記防護パターンとの容量性カップリングより小さい、又は前記防護パターン及び前記第一の導電ストライプの容量性カップリングより小さいことを特徴とする請求項１８記載の静電容量方式タッチスクリーンの検出方法。
【請求項２５】
前記予定条件はある幅又はある面積であり、前記第一の導電ストライプの露出面積は、前記第二の導電ストライプの露出面積より大きいことを特徴とする請求項１８記載の静電容量方式タッチスクリーンの検出方法。
【請求項２６】
該静電容量方式タッチスクリーンの周囲は表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成することを特徴とする請求項１８記載の静電容量方式タッチスクリーンの検出方法。
【請求項２７】
前記駆動信号が前記外部導電物体中で少なくとも１つの第一の外部導電物体によって前記第一の導電ストライプから流出してから前記外部導電物体中で少なくとも１つの第二の外部導電物体によって前記直流信号が提供される第一の導電ストライプへ流入する比率は、第二の外部導電物体の数の増加を連れて増加することを特徴とする請求項１８記載の静電容量方式タッチスクリーンの検出方法。
【請求項２８】
相互容量の検出時操作的に駆動信号が提供される複数個の第一の導電ストライプと相互容量性カップリング信号を提供する複数個の第二の導電ストライプを有する互いに露出する複数個の導電ストライプを有する１つの導電ストライプパターンと、
直流信号が提供される１つの防護パターンを備え、
そのうち、１つの直流信号は、駆動信号が提供されない第一の導電ストライプに提供され、
前記複数個の第一の導電ストライプと前記複数個の第二の導電ストライプそれぞれは互いに露出して互いに分離し、前記防護パターンと前記導電ストライプパターンは互いに露出し、
前記導電ストライプパターン及び前記防護パターンは静電容量方式タッチスクリーンに対する外部導電物体それぞれのタッチ範囲が予定条件より大きいことをさせるとき、外部導電物体それぞれは前記防護パターンとの容量性カップリング量が、前記第二の導電ストライプとの容量性カップリング量又は導電ストライプパターンとの容量性カップリング量より大きい、又は外部導電物体それぞれは前記防護パターン及び前記第一の導電ストライプとのカップリング量が、前記第二の導電ストライプとのカップリング量より大きい、そして、前記駆動信号が前記外部導電物体中で少なくとも一つの第一の外部導電物体によって前記第一の導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーン。
【請求項２９】
前記第二の導電ストライプは複数個の開口を有し、又は前記第一の導電ストライプ及び前記第二の導電ストライプは複数個の開口を有し、前記防護パターンは前記複数個の開口に位置する複数個の防護プレートと、直列に及び/又は並列に前記防護プレートに接続されて前記直流信号を提供する複数個の防護連接線を含むことを特徴とする請求項２８記載の静電容量方式タッチスクリーン。
【請求項３０】
前記防護パターンは複数個の防護導電ストライプを含み、前記第一の導電ストライプそれぞれと前記第二の導電ストライプそれぞれの両側はそれぞれ１つの防護導電ストライプに隣接し、前記防護パターンは前記防護導電ストライプから成り、前記防護導電ストライプの輪郭は隣接の第一の導電ストライプ又は第二の導電ストライプと一致することを特徴とする請求項２８記載の静電容量方式タッチスクリーン。
【請求項３１】
前記防護パターンは複数個の防護導電ストライプを含み、各防護導電ストライプの両側はそれぞれ１つの第一の導電ストライプに隣接し、又は１つの第二の導電ストライプに隣接し、第一の導電ストライプ及び第二の導電ストライプの輪郭は隣接の防護導電ストライプの輪郭と一致することを特徴とする請求項２８記載の静電容量方式タッチスクリーン。
【請求項３２】
前記防護パターンは複数個の防護導電ストライプを含み、該防護導電ストライプは複数個の開口を有し、該防護導電ストライプ同士間の間隙は前記第一の導電ストライプと第二の導電ストライプのうち１つを露出し、前記開口は前記第一の導電ストライプと第二の導電ストライプのうち残りの１つを露出することを特徴とする請求項２８記載の静電容量方式タッチスクリーン。
【請求項３３】
前記防護パターンは前記第一の導電ストライプと同じ層に配置され、前記第二の導電ストライプは前記第一の導電ストライプと同じ層に配置され、又は、絶縁表層から遠く離れる層に配置され、前記外部導電物体は該絶縁表層に接近又はタッチすることを特徴とする請求項２８記載の静電容量方式タッチスクリーン。
【請求項３４】
前記タッチ範囲それぞれが前記第一の導電ストライプの露出面積をカバーする面積は、前記タッチ範囲それぞれが前記第二の導電ストライプの露出面積をカバーする面積より大きい、又は前記タッチ範囲それぞれが該直流信号が提供される前記第一の導電ストライプ及び前記防護パターンの露出面積をカバーする面積は、前記タッチ範囲それぞれが前記第二の導電ストライプの露出面積をカバーする面積より大きい、前記予定条件はある幅又はある面積であり、前記第一の導電ストライプの露出面積は前記第二の導電ストライプの露出面積より大きいことを特徴とする請求項２８記載の静電容量方式タッチスクリーン。
【請求項３５】
一つの制御回路を更に含み、
そのうち、該制御回路は
同時に連続的に１つの駆動信号を少なくとも１つの第一の導電ストライプに提供する工程と、
駆動信号が毎回提供される時、第二の導電ストライプが提供する相互容量性カップリング信号によって１つの感知情報を生成する工程と、を行い、
そのうち、該感知情報の値それぞれは一対の第二の導電ストライプの信号の差又は３個の第二の導電ストライプ中の二対の第二の導電ストライプの信号の差の差であり、
且つ、該静電容量方式タッチスクリーンは表示装置に装着され、前記導電ストライプと該表示装置との間に直流電位を提供する奥遮断層が存在しない、
前記差は表示装置からノイズを抑制することを特徴とする、請求項２８記載の静電容量方式タッチスクリーン。
【請求項３６】
該静電容量方式タッチスクリーンの周囲は該表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成することを特徴とする請求項３５記載の静電容量方式タッチスクリーン。
【請求項３７】
前記駆動信号が前記外部導電物体中で少なくとも１つの第一の外部導電物体によって前記導電ストライプから流出して前記外部導電物体中で少なくとも１つの第二の外部導電物体によって前記直流信号が提供される第一の導電ストライプへ流入する比率は、第二の外部導電物体の数の増加を連れて増加することを特徴とする請求項２８記載の静電容量方式タッチスクリーン。
【請求項３８】
前記防護パターンは複数個の開口を含み、且つ、前記導電ストライプパターンをカバーし、前記直流信号は前記防護パターンに提供され、前記開口は前記導電ストライプパターンを露出することを特徴とする請求項２８記載の静電容量方式タッチスクリーン。
【請求項３９】
前記開口は第一の導電ストライプと第二の導電ストライプとの複数個の交差区域を露出することを特徴とする請求項３８記載の静電容量方式タッチスクリーン。
【請求項４０】
前記防護パターンは第一の導電ストライプと第二の導電ストライプとの複数個の交差区域を遮蔽することを特徴とする請求項３８記載の静電容量方式タッチスクリーン。
【請求項４１】
前記防護パターンは複数個の防護導電ストライプを含み、該防護導電ストライプは複数個の開口を有し、該防護導電ストライプ同士間の間隙は前記第一の導電ストライプと第二の導電ストライプのうち１つを露出し、前記開口は前記第一の導電ストライプと第二の導電ストライプのうち残りの１つを露出することを特徴とする請求項３８記載の静電容量方式タッチスクリーン。
【請求項４２】
複数個の第一の接続線と複数個の第二の接続線とを更に含み、
そのうち、直流信号は、前記駆動信号が提供されない第一の導電ストライプに提供され、第一の導電ストライプそれぞれは第一方向に沿う複数個の第一の接続線と第二方向に沿う複数個の第一の導電プレートを含み、該第一の接続線は該第一の導電プレートに接続し、
第二の導電ストライプそれぞれは第二方向に沿う複数個の第二の接続線と第一方向に沿う複数個の第二の導電プレートを含み、該第二の接続線は該第二の導電プレートに接続することを特徴とする請求項２８記載の静電容量方式タッチスクリーン。
【請求項４３】
前記導電ストライプは互いに交差して複数個の露出空間を有するグリッドを構成し、前記防護パターンは複数個の防護導電ストライプを含み、防護導電ストライプそれぞれは複数個の防護連接線に直列に接続する複数個の防護導電プレートを含み、露出空間それぞれは少なくとも１つの防護導電プレートを露出し、直流信号は前記防護パターンに提供されることを特徴とする請求項２８記載の静電容量方式タッチスクリーン。
【発明の詳細な説明】
【技術分野】
【０００１】
本発明は、静電容量方式タッチスクリーンに係り、特にファントムタッチ影響を減少する静電容量方式タッチスクリーンに関する。
【背景技術】
【０００２】
図１Ａに参照し、駆動信号Ｄが１つの駆動された導電ストライプを経由したとき、信号Ｉは同じ手の第一指Ａから第二指Ｂへ流したため、感知情報ＳＩを走査する過程中で、タッチ関連感知情報ＳＡとＳＢが示すように、第一指Ａと第二指Ｂに対応し、感知された導電ストライプは相互容量性カップリング信号の変化を感知した。図１Ａには、タッチ関連感知情報ＳＡ及びＳＢそれぞれの変化は上昇と低下の傾向が逆になり、すなわち、信号は反対である。
【０００３】
タッチ関連感知情報ＳＡは第一指Ａに対応する位置の感知された導電ストライプと駆動された導電ストライプの交差区域の容量性カップリングの変化を代表し、実のタッチ（real touch）は存在している。同様に、タッチ関連感知情報ＳＢは第一指Ｂに対応する位置の感知された導電ストライプと駆動された導電ストライプの交差区域の容量性カップリングの変化を代表する。しかし、タッチ関連感知情報ＳＢが代表する交差区域はタッチされない、負タッチ（unreal touch）が誤判され、すなわち、それはいわゆるファントムタッチである。以下の説明には第一指Ａの容量性カップリングにって導電ストライプから流出する信号を正タッチ信号と言い、また、第二指Ｂの容量性カップリングにって導電ストライプへ流入する信号を負タッチ信号と言う。そのため、導電ストライプが検出した正タッチ信号と負タッチ信号の容量性カップリングの変化それぞれは正タッチのタッチ関連感知情報及び負タッチのタッチ関連感知情報である。
【０００４】
図１Ｂに示すように、第一指Ａ及び第二指Ｂは近い導電ストライプ又は同じ導電ストライプに位置すると、対応するタッチ関連感知情報ＳＡ及びＳＢは信号が逆になってから、互いに削除するため、信号は小さくなる。タッチ関連感知情報ＳＡ及びＳＢそれぞれの強さは接近すると、信号は小さすぎて正タッチを判断することができない。以下の説明には正タッチ信号及び負タッチ信号は接近するため、検出した正タッチの容量性カップリングの変化量が歪曲する場合を、負タッチ現象と言う。
【０００５】
上記の例には、第一指Ａ及び第二指Ｂは絶縁表層を介して導電ストライプと容量性カップリングするため、絶縁表層の厚さは薄いほど、負タッチ現象は大きくなる。即ち、検出した正タッチの容量性カップリングの変化量の歪曲程度は大きくなる。また、負タッチによる第二指Ｂの数は多くなるほど、負タッチ信号量の合計は多くなり、検出した正タッチの容量性カップリングの変化量の歪曲程度は大きくなり、さらに、正タッチのタッチ関連感知情報は負タッチのタッチ関連感知情報になる可能性もある。言い換えると、最悪の場合、第二指Ｂ全てと１つの第一指Ａが同じ検出された導電ストライプに位置する時の負タッチ現象は最大である。もちろん、相互容量の検出時、負タッチ現象に対する許容範囲によって、正タッチの位置を正確的に検出することは決定され、また、正タッチの位置の数を正確に検出できることは決定される。
【０００６】
上述の負タッチ現象は携帯型装置においてもっと悪い。それは携帯型装置の接地は人体の接地と違いがあるから。市場の要求のため、携帯型装置は薄いほど要求され、また、静電容量方式タッチスクリーンも薄いほど要求される。通常に、静電容量方式タッチスクリーンは表示装置に配置され、表示装置からノイズは静電容量方式タッチスクリーンを常に妨げる。直接の防止方法は静電容量方式タッチスクリーンの奥面に奥遮断層（rear shielding layer）を設置する。ところが、奥遮断層の増加は必ず静電容量方式タッチスクリーンの厚さを増加し、市場の要求を果たすことが困難になる。
【０００７】
奥遮断層を増加しない場合、同時に表示装置からノイズを減少させることなら、二層構造（二重層ITO、DITO）は通常に、採用の手段であり、駆動信号が提供される（駆動される）導電ストライプは下の層に配置され、検出される導電ストライプは上の層に配置される。そのうち、駆動される導電ストライプは表示装置の大部分をカバーし、駆動信号が提供される導電ストライプを除く導電ストライプは接地電位に接続し、奥遮断層に似ている効果がある。感知される導電ストライプは上の層で配置されるため、負タッチ現象を減少するように、絶縁表層の厚さは効果的に薄くならない。例えば、絶縁表層はガラスであると、感知される導電ストライプと指の距離は約１.１ｍｍ以上で必要がある。プラスチックを支持用ガラスに貼り合わせる場合も、感知される導電ストライプと指の距離は約０.７ｍｍ以上で必要がある。絶縁表層の厚さは上述の厳しい条件で制限されるため、駆動される導電ストライプと感知される導電ストライプの間に介する絶縁中間層の厚さを減少させることだけが考えられる。
【０００８】
二層構造に対し、単層構造（一層ITO、SITO）を有する絶縁表層は前記同様に絶縁表層の厚さの制限がある。しかし、絶縁中間層を持っていないので、全体の厚さは二層構造より薄い、ただし、奥遮断層に似ている効果も持っていない。表示装置からノイズを効果的に減少させることができないなら、単層構造は二層構造より表示装置内（In cell）で配置されることが好ましい。表示装置上で配置させる場合は、奥遮断層の設置は必要になる。
【０００９】
表示装置からノイズの干渉は正タッチの位置を判断する能力を低下し、負タッチ現象は正タッチの位置を判断する能力に影響を及ぼす。明らかに、静電容量方式タッチスクリーンの厚さを減少することについて、感知される導電ストライプと指の距離及び表示装置からノイズの干渉を考えればならない。
【００１０】
したがって、上述公知の技術は不便と欠陥を持っており、更に改善されることが必要である。当業者は上述の問題を解決するための手段を求めるが、適用の設計を見出しない。しかし、一般製品及び方法は上述の問題を解決できないので、この問題は当業者にとって非常に解決を要する問題である。そこで、上述の問題を解決できる新たな技術は重要である。
【発明の概要】
【発明が解決しようとする課題】
【００１１】
相互容量方式マルチタッチスクリーンで、マルチタッチを検出するとき、駆動信号は容量性カップリングによって同じ手の第一指から第二指へ流すため、正タッチの位置を示すための信号又は信号の変化量は減少され、正タッチを誤判する可能性はある。本発明は指間に流通する負タッチ現象を減少しようとすることを目的としている。
【００１２】
相互容量方式マルチタッチスクリーンで、マルチタッチを検出するとき、多数の外部物体間に流通する信号が容量性カップリングによってを容量方式マルチタッチスクリーンへ流すことは正タッチの容量性カップリングの変化量を非常に歪曲させる。この問題を解決するために、絶縁表層の厚さは薄くならない。
【００１３】
従って、本発明は相互容量方式マルチタッチスクリーンの導電ストライプパターンを利用し、駆動される導電ストライプと外部物体の容量性カップリングを、検出される導電ストライプと外部物体の容量性カップリングより大きくさせ、絶縁表層を介して多数の外部物体との容量性カップリングによって導電ストライプから流出して検出される導電ストライプへ流入する駆動信号の比率を減少させることを目的としている。それにより、負タッチ現象を減少し、負タッチ信号を減少するため、絶縁表層の厚さが薄くなることはできる。
【００１４】
また、相互容量方式マルチタッチスクリーンに防護パターンを加え、導電ストライプと互いに露出することによって、防護パターンは相互容量方式マルチタッチスクリーンに対する外部導電物体それぞれのタッチ範囲が予定条件より大きいことをさせるとき、外部導電物体それぞれは防護パターンとの容量性カップリング量が、第二の導電ストライプとの容量性カップリング量より大きい、又は外部導電物体それぞれは防護パターン及び第一の導電ストライプとの容量性カップリング量が、第二の導電ストライプとの容量性カップリング量より大きい、そして、駆動信号が多数の外部導電物体との容量性カップリングによって導電ストライプから流出して検出される導電ストライプへ更に流入する比率を有効に減少する。
【００１５】
一方、検出される導電ストライプが提供する容量性カップリング信号は差値又は二重差値で表すことによって、表示装置からノイズの干渉は効果的に低下され、奥遮断層の設置は必要ないで、更に、相互容量方式マルチタッチスクリーンの厚さは減少される。そのうち、検出される導電ストライプが提供する容量性カップリング信号は差値又は二重差値で表すことによって、同時に圧力で変形による信号の歪曲問題は減少されることができる。
【課題を解決するための手段】
【００１６】
本発明は、相互容量方式マルチタッチスクリーンを提供し、導電ストライプパターンは正確な位置を検出する有効タッチのタッチ範囲は防護パターンをカバーする露出面積を、検出される導電ストライプの露出面積より大きくさせ、又は導電ストライプパターンの露出面積より大きくさせ、又はタッチ範囲は防護パターン及び駆動される導電ストライプをカバーする露出面積を、検出される導電ストライプの露出面積より大きくさせる。従って、駆動信号は絶縁表層を介して多数の外部物体との容量性カップリングによって導電ストライプから流出して導電ストライプへ流入するとき、導電ストライプへ流入する信号は位置の検出に影響を相対的に減少する。
【００１７】
更に、本発明は、相互容量方式マルチタッチスクリーンを提供し、駆動される導電ストライプと外部導電物体との距離は検出される導電ストライプと外部物体との距離より大きくされることによって、駆動される導電ストライプと外部導電物体との容量性カップリングは検出される導電ストライプと外部導電物体との容量性カップリングより大きくなる。そして、駆動信号は絶縁表層を介して多数の外部物体との容量性カップリングによって導電ストライプから流出して導電ストライプへ流入するとき、導電ストライプへ流入する信号は位置の検出に影響を相対的に減少する。
【００１８】
明らかに、前述の相互容量方式マルチタッチスクリーンで、駆動される導電ストライプは検出される導電ストライプと比べて、外部導電物体より近い、露出面積がより大きい、両方の利点がある。
【００１９】
本発明の目的及び問題を解決する技術は以下の通りとする。本発明は、相互容量の検出時操作的に駆動信号が提供される複数個の第一の導電ストライプと相互容量性カップリング信号を提供する複数個の第二の導電ストライプを有する互いに露出する複数個の導電ストライプ及び該複数個の導電ストライプとの間に直流電位を提供する奥遮断層が存在しない表示装置を備える１つの静電容量方式タッチスクリーンを提供する工程と、同時に連続的に一つの駆動信号を少なくとも一つの第一の導電ストライプに提供する工程と、駆動信号が毎回提供される時、第二の導電ストライプが提供する相互容量性カップリング信号によって一つの感知情報を生成する工程とを含み、そのうち、該感知情報の値それぞれは一対の第二の導電ストライプの信号の差又は３個の第二の導電ストライプ中の二対の第二の導電ストライプの信号の差の差であり、前記差は表示装置から送られるノイズを抑制し、該感知情報の値それぞれに対応する第二の導電ストライプは完全に相同ではない、前記導電ストライプパターンは該静電容量方式タッチスクリーンに対する外部導電物体それぞれのタッチ範囲が予定条件より大きいことをさせるとき、外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンの検出方法を提供する。
【００２０】
本発明の目的及び問題を解決する技術は更に以下の通りとする。
【００２１】
前記予定条件はある幅又はある面積であり、前記第一の導電ストライプが露出する面積は、前記第二の導電ストライプが露出する面積より大きい。
【００２２】
前記導電ストライプは静電容量方式タッチスクリーンに配置され、前記静電容量方式タッチスクリーンの周囲は該表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００２３】
前記感知情報中で前記外部導電物体に対応する部分は少なくとも１つの零交差箇所を有し、零交差箇所それぞれは一つの正値と一つの負値の間に位置する。
【００２４】
前記タッチ範囲が前記第一の導電ストライプが露出する面積をカバーする面積は、前記タッチ範囲が前記第二の導電ストライプが露出する面積をカバーする面積より大きい。
【００２５】
前記駆動信号が提供されない第一の導電ストライプは前記直流電位に接続され、且つ前記駆動信号が前記外部導電物体中で少なくとも一つの第一の外部導電物体によって前記導電ストライプから流出して前記外部導電物体中で少なくとも一つの第二の外部導電物体によって前記直流電位に接続される第一の導電ストライプへ流入する比率は、第二の外部導電物体の数の増加を連れて増加する。
【００２６】
本発明の目的及び問題を解決する技術は更に以下の通りとする。本発明は、相互容量の検出時操作的に駆動信号が提供される複数個の第一の導電ストライプと相互容量性カップリング信号を提供する複数個の第二の導電ストライプを有する互いに露出する複数個の導電ストライプを含む静電容量方式タッチスクリーンであって、複数個の開口を有する前記第二の導電ストライプを含有する下導電層、前記第一の導電ストライプを含有する上導電層、前記第一の導電ストライプと前記第二の導電ストライプとの間に介在する絶縁層、及び前記上導電層を覆い、少なくとも１つの外部物体による接近又は接触されるための絶縁表層を含み、そのうち、前記第一の導電ストライプと前記第二の導電ストライプは複数個の交差区域に交差しており、且つ互いに露出し、前記開口は該静電容量方式タッチスクリーンに対する前記開口は外部導電物体それぞれのタッチ範囲が予定条件より大きいことをさせるとき、外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンを開示する。
【００２７】
本発明の目的及び問題を解決する技術は更に以下の通りとする。
【００２８】
前記タッチ範囲が前記第一の導電ストライプが露出する面積をカバーする面積は、前記タッチ範囲が前記第二の導電ストライプが露出する面積をカバーする面積より大きい。
【００２９】
前記予定条件はある幅又はある面積であり、前記第一の導電ストライプが露出する面積は、前記第二の導電ストライプが露出する面積より大きい。
【００３０】
前記静電容量方式タッチスクリーンは一つの制御回路を更に含み、そのうち、該制御回路は同時に連続的に一つの駆動信号を少なくとも一つの第一の導電ストライプに提供する工程と、駆動信号が毎回提供される時、第二の導電ストライプが提供する相互容量性カップリング信号によって一つの感知情報を生成する工程を行い、そのうち、該感知情報の値それぞれは一対の第二の導電ストライプの信号の差又は３個の第二の導電ストライプ中の二対の第二の導電ストライプの信号の差の差であり、該静電容量方式タッチスクリーンは表示装置に装着され、前記導電ストライプと該表示装置との間に直流電位を提供する奥遮断層が存在しない、前記差は表示装置から送られるノイズを抑制する。
【００３１】
前記静電容量方式タッチスクリーンの周囲は該表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００３２】
前記駆動信号が提供されない第一の導電ストライプは前記直流電位に接続され、且つ前記駆動信号が前記外部導電物体中で少なくとも一つの第一の外部導電物体によって前記導電ストライプから流出して前記外部導電物体中で少なくとも一つの第二の外部導電物体によって前記直流電位に接続される第一の導電ストライプへ流入する比率は、第二の外部導電物体の数の増加を連れて増加する。
【００３３】
前記開口は複数個の仮導電プレートを含み、前記仮導電プレートの材質は前記導電ストライプの材質と同じである。
【００３４】
本発明の目的及び問題を解決する技術は更に以下の通りとする。本発明は、相互容量の検出時操作的に駆動信号が提供される複数個の第一の導電ストライプと相互容量性カップリング信号を提供する複数個の第二の導電ストライプを有する互いに露出する複数個の導電ストライプを含む静電容量方式タッチスクリーンであって、前記導電ストライプパターンは該静電容量方式タッチスクリーンに対する外部導電物体それぞれのタッチ範囲が予定条件より大きいことをさせるとき、外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンを開示する。
【００３５】
前記タッチ範囲が前記第一の導電ストライプが露出する面積をカバーする面積は、前記タッチ範囲が前記第二の導電ストライプが露出する面積をカバーする面積より大きい。
【００３６】
前記予定条件はある幅又はある面積であり、前記第一の導電ストライプが露出する面積は、前記第二の導電ストライプが露出する面積より大きい。
【００３７】
前記静電容量方式タッチスクリーンは一つの制御回路を更に含み、そのうち、該制御回路は同時に連続的に一つの駆動信号を少なくとも一つの第一の導電ストライプに提供する工程と、駆動信号が毎回提供される時、第二の導電ストライプが提供する相互容量性カップリング信号によって一つの感知情報を生成する工程を行い、そのうち、該感知情報の値それぞれは一対の第二の導電ストライプの信号の差又は３個の第二の導電ストライプ中の二対の第二の導電ストライプの信号の差の差であり、該静電容量方式タッチスクリーンは表示装置に装着され、前記導電ストライプと該表示装置との間に直流電位を提供する奥遮断層が存在しない、前記差は表示装置から送られるノイズを抑制する。
【００３８】
前記静電容量方式タッチスクリーンの周囲は該表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００３９】
前記駆動信号が提供されない第一の導電ストライプは前記直流電位に接続され、且つ前記駆動信号が前記外部導電物体中で少なくとも一つの第一の外部導電物体によって前記導電ストライプから流出して前記外部導電物体中で少なくとも一つの第二の外部導電物体によって前記直流電位に接続される第一の導電ストライプへ流入する比率は、第二の外部導電物体の数の増加を連れて増加する。
【００４０】
本発明の目的及び問題を解決する技術は更に以下の通りとする。本発明は、相互容量の検出時操作的に駆動信号が提供される複数個の第一の導電ストライプと相互容量性カップリング信号を提供する複数個の第二の導電ストライプを有する互いに露出する複数個の導電ストライプを有する１つの導電ストライプパターン及び直流信号が印加される１つの防護パターンを備える１つの静電容量方式タッチスクリーンを提供する工程と、同時に連続的に１つの駆動信号を少なくとも１つの第一の導電ストライプに提供し、且つ、１つの直流信号を該駆動信号が提供されない第一の導電ストライプに提供する工程と、駆動信号が毎回提供される時、第二の導電ストライプが提供する相互容量性カップリング信号によって１つの感知情報を生成する工程を含み、そのうち、該感知情報の値それぞれは一対の第二の導電ストライプの信号の差又は３個の第二の導電ストライプ中の二対の第二の導電ストライプの信号の差の差であり、前記差は表示装置から送られるノイズを抑制し、前記第一の導電ストライプそれぞれと前記第二の導電ストライプそれぞれは互いに露出してそれぞれ分離し、前記防護パターンと前記導電ストライプパターンは互いに露出し、前記導電ストライプパターンは該静電容量方式タッチスクリーンに対する外部導電物体それぞれのタッチ範囲が予定条件より大きいことをさせるとき、前記タッチ範囲それぞれが前記前記防護パターンが露出する面積をカバーする面積は、前記タッチ範囲それぞれが前記第二の導電ストライプの露出面積をカバーする面積又は前記導電ストライプの露出面積をカバーする面積より大きい、又は前記タッチ範囲それぞれが前記防護パターン及び前記第一の導電ストライプの露出面積をカバーする面積は、前記タッチ範囲それぞれが前記第二の導電ストライプの露出面積をカバーする面積より大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンの検出方法を提供する。
【００４１】
本発明の目的及び問題を解決する技術は更に以下の通りとする。
【００４２】
前記防護パターンは前記開口に位置する複数個の防護プレートと、直列に及び/又は並列に前記防護プレートに接続されて前記直流信号を提供する複数個の防護連接線とを含む。
【００４３】
前記第一の導電ストライプ及び前記第二の導電ストライプは複数個の開口を有し、前記防護パターンは前記複数個の開口に位置する複数個の防護プレートと、直列に及び/又は並列に前記防護プレートに接続されて前記直流信号を提供する複数個の防護連接線とを含む。
【００４４】
前記防護パターンは複数個の防護導電ストライプを含み、前記第一の導電ストライプそれぞれと前記第二の導電ストライプそれぞれの両側は１つの防護導電ストライプに隣接し、前記防護パターンは前記防護導電ストライプから成り、前記防護導電ストライプの輪郭は隣接の第一の導電ストライプ又は第二の導電ストライプと一致する。
【００４５】
前記防護パターンは複数個の防護導電ストライプを含み、該防護導電ストライプそれぞれの両側は１つの第一の導電ストライプに隣接し、又は１つの第二の導電ストライプに隣接し、第一の導電ストライプ及び第二の導電ストライプの輪郭は隣接の防護導電ストライプと一致する。
【００４６】
前記防護パターンは複数個の防護導電ストライプを含み、該防護導電ストライプは複数個の開口を有し、該防護導電ストライプ同士間の間隙は前記第一の導電ストライプと第二の導電ストライプのうち１つを露出し、前記開口は前記第一の導電ストライプと第二の導電ストライプのうち残りの１つを露出する。
【００４７】
前記防護パターンは前記第一の導電ストライプと同じ層に配置され、前記第二の導電ストライプは前記第一の導電ストライプと同じ層に配置され、又は、絶縁表層から遠く離れる層に配置され、前記外部導電物は該絶縁表層に接近又はタッチする。
【００４８】
外部導電物体それぞれは前記第二の導電ストライプとの容量性カップリングが前記防護パターンとの容量性カップリングより小さい、又は前記防護パターン及び前記第一の導電ストライプとの容量性カップリングより小さい。
【００４９】
前記予定条件はある幅又はある面積であり、前記第一の導電ストライプが露出する面積は、前記第二の導電ストライプが露出する面積より大きい。
【００５０】
前記静電容量方式タッチスクリーンの周囲は表示装置に装着され、前記静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００５１】
前記駆動信号が前記外部導電物体中で少なくとも一つの第一の外部導電物体によって前記導電ストライプから流出してから前記外部導電物体中で少なくとも一つの第二の外部導電物体によって直流信号が提供される第一の導電ストライプへ流入する比率は、第二の外部導電物体の数の増加を連れて増加する。
【００５２】
本発明の目的及び問題を解決する技術は更に以下の通りとする。本発明は、相互容量の検出時操作的に駆動信号が提供される複数個の第一の導電ストライプと相互容量性カップリング信号を提供する複数個の第二の導電ストライプを有する互いに露出する複数個の導電ストライプを有する１つの導電ストライプパターン及び直流信号が提供される１つの防護パターンを備え、そのうち、直流信号は駆動信号が提供されない第一の導電ストライプに提供され、前記第一の導電ストライプと前記第二の導電ストライプそれぞれは互いに露出してそれぞれ分離し、前記防護パターンと前記導電ストライプパターンは互いに露出し、前記導電ストライプパターン及び前記防護パターンは該静電容量方式タッチスクリーンに対する外部導電物体それぞれのタッチ範囲が予定条件より大きいことをさせるとき、外部導電物体それぞれは前記防護パターンとのカップリング量が前記第二の導電ストライプとのカップリング量より大きい、又は外部導電物体それぞれは前記防護パターン及び前記第一の導電ストライプとのカップリング量が前記第二の導電ストライプとのカップリング量より大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンを提供する。
【００５３】
本発明の目的及び問題を解決する技術は更に以下の通りとする。
【００５４】
前記防護パターンは前記開口に位置する複数個の防護プレートと、直列に及び/又は並列に前記防護プレートに接続されて前記直流信号を提供する複数個の防護連接線とを含む。
【００５５】
前記第一の導電ストライプそれぞれと前記第二の導電ストライプそれぞれの両側は１つの防護導電ストライプに隣接し、前記防護パターンは前記防護導電ストライプから成り、前記防護導電ストライプの輪郭は隣接の第一の導電ストライプ又は第二の導電ストライプと一致する。
【００５６】
前記防護パターンは複数個の防護導電ストライプを含み、該防護導電ストライプそれぞれの両側は１つの第一の導電ストライプに隣接し、又は１つの第二の導電ストライプに隣接し、第一の導電ストライプ又は第二の導電ストライプの輪郭は隣接の防護導電ストライプと一致する。
【００５７】
前記防護パターンは複数個の防護導電ストライプを含み、該防護導電ストライプは複数個の開口を有し、該防護導電ストライプ同士間の間隙は前記第一の導電ストライプと第二の導電ストライプのうち１つを露出し、前記開口は前記第一の導電ストライプと第二の導電ストライプのうち残りの１つを露出する。
【００５８】
前記防護パターンは前記第一の導電ストライプと同じ層に配置され、前記第二の導電ストライプは前記第一の導電ストライプと同じ層に配置され、又は、絶縁表層から遠く離れる層に配置され、前記外部導電物は該絶縁表層に接近又はタッチする。
【００５９】
前記タッチ範囲それぞれが前記第一の導電ストライプの露出面積をカバーする面積は、前記タッチ範囲それぞれが前記第二の導電ストライプの露出面積をカバーする面積より大きい、又は前記タッチ範囲それぞれが該直流信号が提供される前記第一の導電ストライプ及び前記防護導電ストライプの露出面積をカバーする面積は、前記タッチ範囲それぞれが前記第二の導電ストライプの露出面積をカバーする面積より大きい。
【００６０】
前記予定条件はある幅又はある面積であり、前記第一の導電ストライプが露出する面積は前記第二の導電ストライプが露出する面積より大きい。
【００６１】
前記静電容量方式タッチスクリーンは１つの制御回路を更に含み、そのうち、該制御回路は同時に連続的に一つの駆動信号を少なくとも一つの第一の導電ストライプに提供する工程、及び、駆動信号が毎回提供される時、第二の導電ストライプが提供する相互容量性カップリング信号によって一つの感知情報を生成する工程を行い、そのうち、該感知情報の値それぞれは一対の第二の導電ストライプの信号の差又は３個の第二の導電ストライプ中の二対の第二の導電ストライプの信号の差の差であり、該静電容量方式タッチスクリーンは表示装置に装着され、前記導電ストライプと該表示装置との間に直流電位を提供する奥遮断層が存在しない、前記差は表示装置から送られるノイズを抑制する。
【００６２】
前記静電容量方式タッチスクリーンの周囲は表示装置に装着され、前記静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００６３】
本発明の目的及び問題を解決する技術は更に以下の通りとする。本発明は互いに露出する複数個の相互容量の検出時操作的に駆動信号が提供される第一の導電ストライプと相互容量性カップリング信号を提供する第二の導電ストライプを有する複数個の導電ストライプを有する１つの導電ストライプパターンと、直流信号が提供され、複数個の開口を含む１つの防護パターンとを備える１つの静電容量方式タッチスクリーンを提供する工程と、同時に連続的に１つの駆動信号を少なくとも１つの第一の導電ストライプに提供し、且つ、１つの直流信号を該駆動信号が提供されない第一の導電ストライプに提供する工程と、駆動信号が毎回提供される時、第二の導電ストライプが提供する相互容量性カップリング信号によって１つの感知情報を生成する工程を含み、そのうち、該感知情報の値それぞれは一対の第二の導電ストライプの信号の差又は３個の第二の導電ストライプ中の二対の第二の導電ストライプの信号の差の差であり、前記差は表示装置から送られるノイズを抑制し、前記複数個の第一の導電ストライプと前記複数個の第二の導電ストライプそれぞれは互いに露出してそれぞれ分離し、前記防護パターンと前記導電ストライプパターンとは互いに露出し、前記防護パターンは前記導電ストライプパターンにカバーし、前記開口は前記導電ストライプパターンを露出し、前記導電ストライプパターンは該静電容量方式タッチスクリーンに対する外部導電物体それぞれのタッチ範囲が予定条件より大きいことをさせるとき、前記タッチ範囲それぞれが前記防護パターンの露出面積をカバーする面積は、前記タッチ範囲それぞれが前記第二の導電ストライプの露出面積又は前記導電ストライプの露出面積をカバーする面積より大きい、又は前記タッチ範囲それぞれが前記防護パターン及び前記第一の導電ストライプの露出面積をカバーする面積は、前記タッチ範囲それぞれが前記第二の導電ストライプの露出面積をカバーする面積より大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少することを特徴とする、静電容量方式タッチスクリーンの検出方法を提供する。
【００６４】
本発明の目的及び問題を解決する技術は更に以下の通りとする。
【００６５】
前記開口は第一の導電ストライプと第二の導電ストライプとの複数個の交差区域を露出する。
【００６６】
前記防護パターンは第一の導電ストライプと第二の導電ストライプとの複数個の交差区域を遮蔽する。
【００６７】
前記防護パターンは複数個の防護導電ストライプを含み、該防護導電ストライプは複数個の開口を有し、該防護導電ストライプ同士間の間隙は前記第一の導電ストライプと第二の導電ストライプのうち１つを露出し、前記開口は前記第一の導電ストライプと第二の導電ストライプのうち残りの１つを露出する。
【００６８】
前記第二の導電ストライプは前記第一の導電ストライプと同じ層に配置され、又は、絶縁表層から遠く離れる層に配置され、前記外部導電物は該絶縁表層に接近又はタッチし、前記導電パターンは前記絶縁表層と前記導電ストライプパターンとの間に配置される。
【００６９】
前記外部導電物体それぞれは前記第二の導電ストライプとの容量性カップリングが前記防護パターンとの容量性カップリングより小さい、又は前記防護パターン及び前記第一の導電ストライプとの容量性カップリングより小さい。
【００７０】
前記予定条件はある幅又はある面積であり、前記第一の導電ストライプが露出する面積は前記第二の導電ストライプが露出する面積より大きい。
【００７１】
前記静電容量方式タッチスクリーンの周囲は表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００７２】
前記駆動信号が前記外部導電物体中で少なくとも一つの第一の外部導電物体によって前記導電ストライプから流出してから前記外部導電物体中で少なくとも一つの第二の外部導電物体によって前記直流信号が提供される第一の導電ストライプへ流入する比率は、第二の外部導電物体の数の増加を連れて増加する。
【００７３】
前記第一の導電ストライプと前記第二の導電ストライプは複数個の接続線を接続する複数個の導電プレートから構成し、前記開口は前記導電プレートを露出する。
【００７４】
本発明の目的及び問題を解決する技術は更に以下の通りとする。本発明は、互いに露出する複数個の導電ストライプを有する１つの導電ストライプパターン及び直流信号が提供され、複数個の開口を含む１つの防護パターンを備える静電容量方式タッチスクリーンを提供する。前記導電ストライプパターンは相互容量の検出時操作的に駆動信号が提供される複数個の第一の導電ストライプと相互容量性カップリング信号を提供する複数個の第二の導電ストライプを有する。そのうち、前記第一の導電ストライプと前記第二の導電ストライプは互いに露出して分離し、前記防護パターンと前記導電ストライプパターンとは互いに露出し、前記防護パターンは前記導電ストライプパターンにカバーし、前記開口は前記導電ストライプパターンを露出する。前記導電ストライプパターン及び前記防護パターンは該静電容量方式タッチスクリーンに対する外部導電物体それぞれのタッチ範囲が予定条件より大きいことをさせるとき、外部導電物体それぞれは前記防護パターンとのカップリング量が前記第二の導電ストライプとのカップリング量又は前記導電ストライプとのカップリング量より大きい、又は外部導電物体それぞれは前記防護パターン及び前記第一の導電ストライプとのカップリング量が前記第二の導電ストライプとのカップリング量より大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少する。
【００７５】
本発明の目的及び問題を解決する技術は更に以下の通りとする。
【００７６】
前記開口は第一の導電ストライプと第二の導電ストライプとの複数個の交差区域を露出する。
【００７７】
前記防護パターンは第一の導電ストライプと第二の導電ストライプとの複数個の交差区域を遮蔽する。
【００７８】
前記防護パターンは複数個の防護導電ストライプを含み、該防護導電ストライプは複数個の開口を有し、該防護導電ストライプ同士間の間隙は前記第一の導電ストライプと第二の導電ストライプのうち１つを露出し、前記開口は前記第一の導電ストライプと第二の導電ストライプのうち残りの１つを露出する。
【００７９】
前記第二の導電ストライプは前記第一の導電ストライプと同じ層に配置され、又は、絶縁表層から遠く離れる層に配置され、前記外部導電物は該絶縁表層に接近又はタッチし、前記導電パターンは前記絶縁表層と前記導電ストライプパターンとの間に配置される。
【００８０】
前記タッチ範囲が前記防護パターンの露出面積をカバーする面積は、前記タッチ範囲が前記第二の導電ストライプの露出面積をカバーする面積より大きい、又は前記タッチ範囲が該直流信号が提供される前記第一の導電ストライプ及び前記防護導電ストライプの露出面積をカバーする面積は、前記タッチ範囲が前記第二の導電ストライプの露出面積をカバーする面積より大きい。
【００８１】
前記予定条件はある幅又はある面積であり、前記第一の導電ストライプが露出する面積は前記第二の導電ストライプが露出する面積より大きい。
【００８２】
前記静電容量方式タッチスクリーンは一つの制御回路を更に含み、そのうち、該制御回路は同時に連続的に一つの駆動信号を少なくとも一つの第一の導電ストライプに提供する工程、及び、駆動信号が毎回提供される時、第二の導電ストライプが提供する相互容量性カップリング信号によって一つの感知情報を生成する工程を行い、そのうち、該感知情報の値それぞれは一対の第二の導電ストライプの信号の差又は３個の第二の導電ストライプ中の二対の第二の導電ストライプの信号の差の差であり、該静電容量方式タッチスクリーンは表示装置に装着され、前記導電ストライプと該表示装置との間に直流電位を提供する奥遮断層が存在しない、前記差は表示装置から送られるノイズを抑制する。
【００８３】
前記静電容量方式タッチスクリーンの周囲は表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００８４】
本発明の目的及び問題を解決する技術は更に以下の通りとする。本発明は、複数個の相互容量の検出時操作的に駆動信号が提供される第一の導電ストライプと相互容量性カップリング信号を提供する第二の導電ストライプを有する互いに露出する複数個の導電ストライプを備える１つの静電容量方式タッチスクリーンを提供する工程と、同時に連続的に一つの駆動信号を少なくとも一つの第一の導電ストライプに提供する工程と、駆動信号が毎回提供される時、第二の導電ストライプが提供する相互容量性カップリング信号によって一つの感知情報を生成する工程を含む静電容量方式タッチスクリーンの検出方法を提供する。そのうち、第一の導電ストライプそれぞれは第一方向に沿う複数個の第一の接続線と第二方向に沿う複数個の第一の導電プレートを含み、前記第一の接続線と前記第一の導電プレートは接続している。第二の導電ストライプそれぞれは第二方向に沿う複数個の第二の接続線と第一方向に沿う複数個の第二の導電プレートを含み、前記第二の接続線と前記第二の導電プレートは接続している。前記第一の導電ストライプと前記第二の導電ストライプは互いに露出して分離している。
【００８５】
本発明の目的及び問題を解決する技術は更に以下の通りとする。
【００８６】
前記静電容量方式タッチスクリーンは１つの防護パターンを含み、前記防護パターンと前記導電ストライプパターンとは互いに露出し、直流信号は前記防護パターンに提供される。
【００８７】
前記導電ストライプパターンは該静電容量方式タッチスクリーンに対する外部導電物体それぞれのタッチ範囲が予定条件より大きいことをさせるとき、外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記第一の導電ストライプから流出してから前記外部導電物体中で少なくとも一つの第二の外部導電物体によって前記第二の導電ストライプへ流入する比率は、第二の外部導電物体の数の増加を連れて減少する。
【００８８】
前記防護パターンは複数個の防護導電ストライプを含み、且つ前記第一の導電ストライプと前記第二の導電ストライプ中の１つは前記防護導電ストライプに隣接している。
【００８９】
前記防護パターンは複数個の防護導電ストライプを含み、前記防護導電ストライプは複数個の開口を有し、前記防護導電ストライプ同士間の間隙は前記第一の導電ストライプと第二の導電ストライプのうち１つを露出し、前記開口は前記第一の導電ストライプと第二の導電ストライプのうち残りの１つを露出する。
【００９０】
前記防護パターンは前記第一の導電ストライプと同じ層に配置され、又は、前記第二の導電ストライプと前記第一の導電ストライプは同じ層にで配置され、又は絶縁表層から遠く離れる層に配置され、前記外部導電物は該絶縁表層に接近又はタッチする。
【００９１】
前記外部導電物体それぞれは前記第二の導電ストライプとの容量性カップリングが前記防護パターンとの容量性カップリングより小さい、又は前記防護パターン及び前記第一の導電ストライプとの容量性カップリングより小さい。
【００９２】
前記予定条件はある幅又はある面積であり、前記第一の導電ストライプが露出する面積は前記第二の導電ストライプが露出する面積より大きい。
【００９３】
前記駆動信号が前記外部導電物体中で少なくとも一つの第一の外部導電物体によって前記第一の導電ストライプから流出してから前記外部導電物体中で少なくとも一つの第二の外部導電物体によって前記直流信号が提供される第一の導電ストライプへ流入する比率は、第二の外部導電物体の数の増加を連れて増加する。
【００９４】
前記感知情報の値それぞれは３個の導電ストライプ中の前２つの導電ストライプの信号の差と後２つの導電ストライプの信号の差との差によって生成し、前記差は表示装置から送られるノイズを抑制する。
【００９５】
前記静電容量方式タッチスクリーンの周囲は表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【００９６】
本発明の目的及び問題を解決する技術は更に以下の通りとする。本発明は、相互容量の検出時操作的に駆動信号が提供される複数個の第一の導電ストライプと相互容量性カップリング信号を提供する複数個の第二の導電ストライプを有する互いに露出する複数個の導電ストライプを備える静電容量方式タッチスクリーンを提供する。直流信号は駆動信号が提供されない第一の導電ストライプに提供される。第一の導電ストライプそれぞれは第一方向に沿う複数個の第一の接続線と第二方向に沿う複数個の第一の導電プレートを含み、前記第一の接続線と前記第一の導電プレートは接続している。第二の導電ストライプそれぞれは第二方向に沿う複数個の第二の接続線と第一方向に沿う複数個の第二の導電プレートを含み、前記第二の接続線と前記第二の導電プレートは接続している。前記第一の導電ストライプと前記第二の導電ストライプは互いに露出して分離している。そのうち、前記直流信号はコントローラー（制御器）によって提供され、該コントローラーは連続的に同時に該駆動信号を少なくとも１つの第一の導電ストライプに提供し、且つ、駆動信号が毎回提供される時、第二の導電ストライプが提供する相互容量性カップリング信号によって一つの感知情報を生成する。
【００９７】
本発明の目的及び問題を解決する技術は更に以下の通りとする。
【００９８】
前記静電容量方式タッチスクリーンは１つの防護パターンを含み、前記防護パターンと前記導電ストライプパターンとは互いに露出し、直流信号は前記防護パターンに提供される。
【００９９】
前記導電ストライプパターンは該静電容量方式タッチスクリーンに対する外部導電物体それぞれのタッチ範囲が予定条件より大きいことをさせるとき、前記タッチ範囲それぞれが前記防護パターンの露出面積をカバーする面積は、前記タッチ範囲それぞれが前記第二の導電ストライプの露出面積をカバーする面積より大きい、又は前記タッチ範囲それぞれが前記防護パターン及び前記第一の導電ストライプの露出面積をカバーする面積をカバーする面積は、前記タッチ範囲それぞれが前記第二の導電ストライプの露出面積をカバーする面積より大きい、そして、前記駆動信号が前記外部導電物体中で少なくとも一つの第一の外部導電物体によって前記第一の導電ストライプから流出してから前記外部導電物体中で少なくとも一つの第二の外部導電物体によって前記第二の導電ストライプへ流入する比率は、第二の外部導電物体の数の増加を連れて減少する。
【０１００】
前記防護パターンは複数個の防護導電ストライプを含み、且つ前記第一の導電ストライプと前記第二の導電ストライプ中の１つは前記防護導電ストライプに隣接している。
【０１０１】
前記防護パターンは複数個の防護導電ストライプを含み、前記防護導電ストライプは複数個の開口を有し、前記防護導電ストライプ同士間の間隙は前記第一の導電ストライプと第二の導電ストライプのうち１つを露出し、前記開口は前記第一の導電ストライプと第二の導電ストライプのうち残りの１つを露出する。
【０１０２】
前記防護パターンは前記第一の導電ストライプと同じ層に配置され、又は、前記第二の導電ストライプと前記第一の導電ストライプは同じ層配置され、又は絶縁表層から遠く離れる層に配置され、前記外部導電物は該絶縁表層に接近し、又は、タッチする。
【０１０３】
前記外部導電物体それぞれは前記第二の導電ストライプとの容量性カップリングが前記防護パターンとの容量性カップリングより小さい、又は前記防護パターン及び前記第一の導電ストライプとの容量性カップリングより小さい。
【０１０４】
前記予定条件はある幅又はある面積であり、前記第一の導電ストライプが露出する面積は前記第二の導電ストライプが露出する面積より大きい。
【０１０５】
前記駆動信号が前記外部導電物体中で少なくとも一つの第一の外部導電物体によって前記第一の導電ストライプから流出してから前記外部導電物体中で少なくとも一つの第二の外部導電物体によって前記直流信号が提供される第一の導電ストライプへ流入する比率は、第二の外部導電物体の数の増加を連れて増加する。
【０１０６】
前記感知情報の値それぞれは３個の導電ストライプ中の前２つの導電ストライプの信号の差と後２つの導電ストライプの信号の差との差によって生成し、前記差は表示装置から送られるノイズを抑制する。
【０１０７】
前記静電容量方式タッチスクリーンの周囲は表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【０１０８】
本発明の目的及び問題を解決する技術は更に以下の通りとする。本発明は、相互容量の検出時操作的に駆動信号が提供される複数個の第一の導電ストライプと相互容量性カップリング信号を提供する複数個の第二の導電ストライプを有する互いに露出する複数個の導電ストライプを有する１つの導電ストライプパターン及び１つの防護パターンを備える１つの静電容量方式タッチスクリーンを提供する工程と、同時に連続的に１つの駆動信号を少なくとも１つの第一の導電ストライプに提供し、且つ、１つの直流信号を該駆動信号が提供されない第一の導電ストライプに提供する工程と、駆動信号が毎回提供される時、第二の導電ストライプが提供する相互容量性カップリング信号によって１つの感知情報を生成する工程を含み、そのうち、前記複数個の第一の導電ストライプと前記複数個の第二の導電ストライプそれぞれは互いに露出してそれぞれ分離し、前記導電ストライプは互いに交差して複数個の露出空間を有するグリッドを露出し、前記防護パターンは複数個の防護導電ストライプを含み、防護導電ストライプそれぞれは複数個の防護連接線に直列に接続する複数個の防護導電プレートを含み、露出空間それぞれは少なくとも一つの防護導電プレートを露出することを特徴する、静電容量方式タッチスクリーンの検出方法を提供する。
【０１０９】
本発明の目的及び問題を解決する技術は更に以下の通りとする。
【０１１０】
前記導電ストライプパターンは該静電容量方式タッチスクリーンに対する外部導電物体それぞれのタッチ範囲が予定条件より大きいことをさせるとき、前記タッチ範囲それぞれが前記防護パターンの露出面積をカバーする面積は、前記タッチ範囲それぞれが前記第二の導電ストライプの露出面積をカバーする面積より大きい、又は前記タッチ範囲それぞれが前記防護パターン及び前記第一の導電ストライプの露出面積をカバーする面積は、前記タッチ範囲それぞれが前記第二の導電ストライプの露出面積をカバーする面積より大きい、そして、前記駆動信号が前記外部導電物体中で少なくとも一つの第一の外部導電物体によって前記第一の導電ストライプから流出してから前記外部導電物体中で少なくとも一つの第二の外部導電物体によって前記第二の導電ストライプへ流入する比率は、第二の外部導電物体の数の増加を連れて減少する。
【０１１１】
前記防護パターンは複数個の上防護導電ストライプ及び該上防護導電ストライプと同じ層に隣接する複数個の下防護導電ストライプを含み、前記第一の導電ストライプは前記上防護導電ストライプに隣接し、前記第二の導電ストライプは前記下防護導電ストライプと同じ層に隣接する。
【０１１２】
前記防護パターンは複数個の防護導電ストライプを含み、前記第一の導電ストライプと前記第二の導電ストライプ中の１つは前記防護パターンと同じ層に隣接し、前記第一の導電ストライプと前記第二の導電ストライプは絶縁中間層を介して違い層である。
【０１１３】
前記防護パターンは前記第一の導電ストライプと同じ層に配置され、又は、前記第二の導電ストライプと前記第一の導電ストライプは同じ層に配置され、又は絶縁表層から遠く離れる層に配置され、前記外部導電物は該絶縁表層に接近又はタッチする。
【０１１４】
前記外部導電物体それぞれは前記第二の導電ストライプとの容量性カップリングが前記防護パターンとの容量性カップリングより小さい、又は前記防護パターン及び前記第一の導電ストライプとの容量性カップリングより小さい。
【０１１５】
前記予定条件はある幅又はある面積であり、前記第一の導電ストライプが露出する面積は前記第二の導電ストライプが露出する面積より大きい。
【０１１６】
前記駆動信号が前記外部導電物体中で少なくとも一つの第一の外部導電物体によって前記第一の導電ストライプから流出してから前記外部導電物体中で少なくとも一つの第二の外部導電物体によって前記直流信号が提供される第一の導電ストライプへ流入する比率は、第二の外部導電物体の数の増加を連れて増加する。
【０１１７】
前記感知情報の値それぞれは３個の導電ストライプ中の前２つの導電ストライプの信号の差と後２つの導電ストライプの信号の差との差によって生成し、前記差は表示装置から送られるノイズを抑制する。
【０１１８】
前記静電容量方式タッチスクリーンの周囲は表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【０１１９】
本発明の目的及び問題を解決する技術は更に以下の通りとする。本発明は、互いに露出する複数個の相互容量の検出時操作的に駆動信号が提供される第一の導電ストライプと相互容量性カップリング信号を提供する第二の導電ストライプを有する複数個の導電ストライプを有する１つの導電ストライプパターンと、１つの防護パターンとを備える静電容量方式タッチスクリーンを提供する。そのうち、前記複数個の第一の導電ストライプと前記複数個の第二の導電ストライプそれぞれは互いに露出してそれぞれ分離し、前記導電ストライプは互いに交差して複数個の露出空間を有するグリッドを露出し、前記防護パターンは複数個の防護導電ストライプを含み、防護導電ストライプそれぞれは複数個の防護連接線に直列に接続する複数個の防護導電プレートを含み、露出空間それぞれは少なくとも一つの防護導電プレートを露出し、直流信号は前記防護パターンに提供される。そのうち、前記直流信号はコントローラー（制御器）によって提供され、該コントローラーは連続的に同時に該駆動信号を少なくとも１つの第一の導電ストライプに提供し、且つ、駆動信号が毎回提供される時、第二の導電ストライプが提供する相互容量性カップリング信号によって一つの感知情報を生成する。
【０１２０】
本発明の目的及び問題を解決する技術は更に以下の通りとする。
【０１２１】
前記導電ストライプパターンは該静電容量方式タッチスクリーンに対する外部導電物体それぞれのタッチ範囲が予定条件より大きいことをさせるとき、前記タッチ範囲それぞれが前記防護パターンの露出面積をカバーする面積は、前記タッチ範囲それぞれが前記第二の導電ストライプの露出面積をカバーする面積より大きい、又は前記タッチ範囲それぞれが前記防護パターン及び前記第一の導電ストライプの露出面積をカバーする面積は、前記タッチ範囲それぞれが前記第二の導電ストライプの露出面積をカバーする面積より大きい、そして、前記駆動信号が前記外部導電物体中で少なくとも一つの第一の外部導電物体によって前記第一の導電ストライプから流出してから前記外部導電物体中で少なくとも一つの第二の外部導電物体によって前記第二の導電ストライプへ流入する比率は、第二の外部導電物体の数の増加を連れて減少する。
【０１２２】
前記防護パターンは複数個の上防護導電ストライプ及び該上防護導電ストライプと同じ層に隣接する複数個の下防護導電ストライプを含み、前記第一の導電ストライプは前記上防護導電ストライプに隣接し、前記第二の導電ストライプは前記下防護導電ストライプと同じ層に隣接する。
【０１２３】
前記防護パターンは複数個の防護導電ストライプを含み、前記第一の導電ストライプと前記第二の導電ストライプ中の１つは前記防護パターンと同じ層に隣接し、前記第一の導電ストライプと前記第二の導電ストライプは絶縁中間層を介して違い層である。
【０１２４】
前記防護パターンは前記第一の導電ストライプと同じ層に配置され、又は、前記第二の導電ストライプと前記第一の導電ストライプは同じ層に配置され、又は絶縁表層から遠く離れる層に配置され、前記外部導電物は該絶縁表層に接近又はタッチする。
【０１２５】
前記外部導電物体それぞれは前記第二の導電ストライプとの容量性カップリングは前記防護パターンとの容量性カップリングより小さい、又は前記防護パターン及び前記第一の導電ストライプとの容量性カップリングより小さい。
【０１２６】
前記予定条件はある幅又はある面積であり、前記第一の導電ストライプが露出する面積は前記第二の導電ストライプが露出する面積より大きい。
【０１２７】
前記駆動信号が前記外部導電物体中で少なくとも一つの第一の外部導電物体によって前記第一の導電ストライプから流出してから前記外部導電物体中で少なくとも一つの第二の外部導電物体によって前記直流信号が提供される第一の導電ストライプへ流入する比率は、第二の外部導電物体の数の増加を連れて増加する。
【０１２８】
前記感知情報の値それぞれは３個の導電ストライプ中の前２つの導電ストライプの信号の差と後２つの導電ストライプの信号の差との差によって生成し、前記差は表示装置から送られるノイズを抑制する。
【０１２９】
前記静電容量方式タッチスクリーンの周囲は表示装置に装着され、該静電容量方式タッチスクリーンの装着されない部分は圧力を連れて変形を生成し、前記感知情報の値それぞれは３個の導電ストライプ中の前２つの導電ストライプの信号の差と後２つの導電ストライプの信号の差との差によって生成する。
【発明の効果】
【０１３０】
先行技術では、導電ストライプへ流出する信号を提供する外部導電物体の数は多くなるほど、負タッチ現象は大きくなるが、逆に本発明の技術によれば、導電ストライプへ流出する信号を提供する外部導電物体の数は多くなるほど、負タッチ現象は小さくなる。すなわち、本発明はファントムタッチ現象の許容度が高くなり、そして、絶縁表層の厚さは薄くなることができる。
【０１３１】
さらに、防護パターンの露出面積は大きくなるほど、外部導電物体によるノイズを抵抗能力も強くなる。
【図面の簡単な説明】
【０１３２】
【図１Ａ】先行技術による負タッチ効果を表す概略図である。
【図１Ｂ】先行技術による負タッチ効果を表す概略図である。
【図１Ｃ】位置感知システムを表す概略図である。
【図１Ｄ】位置感知システムを表す概略図である。
【図１Ｅ】感知層の構造を表す概略図である。
【図１Ｆ】感知層の構造を表す概略図である。
【図１Ｇ】感知層の構造を表す概略図である。
【図１Ｈ】感知層の構造を表す概略図である。
【図２Ａ】ファントムタッチ影響の分析を表す概略図である。
【図２Ｂ】ファントムタッチ影響の分析を表す概略図である。
【図３Ａ】本発明の第一実施例が提供する静電容量方式タッチスクリーンを表す図である。
【図３Ｂ】本発明の第一実施例が提供する静電容量方式タッチスクリーンを表す図である。
【図４Ａ】連続差値を含む感知情報を表す概略図である。
【図４Ｂ】連続二重差値を含む感知情報を表す概略図である。
【図５】本発明の第二実施例が提供する静電容量方式タッチセンスディスプレーの検出方法のフロー図である。
【図６】防護パターンを有する静電容量方式タッチスクリーンでファントムタッチ影響の分析を表す概略図である。
【図７Ａ】本発明の第三実施例が開示する防護パターンを表す概略図である。
【図７Ｂ】本発明の第四実施例が開示する防護パターンを表す概略図である。
【図７Ｃ】本発明の第五実施例が開示する防護パターンを表す概略図である。
【図７Ｄ】本発明の第六実施例が開示する防護パターンを表す概略図である。
【図７Ｅ】本発明の第七実施例が開示する防護パターンを表す概略図である。
【図８】本発明の第八実施例が開示する静電容量方式タッチスクリーンの検出方法のフロー図である。
【図９Ａ】本発明の第九実施例が開示する静電容量方式タッチスクリーンを表す概略図である。
【図９Ｂ】本発明の第九実施例が開示する静電容量方式タッチスクリーンを表す概略図である。
【図９Ｃ】本発明の第九実施例が開示する静電容量方式タッチスクリーンを表す概略図である。
【図１０Ａ】本発明の第十実施例が開示する静電容量方式タッチスクリーンを表す概略図である。
【図１０Ｂ】本発明の第十実施例が開示する静電容量方式タッチスクリーンを表す概略図である。
【図１０Ｃ】本発明の第十実施例が開示する静電容量方式タッチスクリーンを表す概略図である。
【図１０Ｄ】本発明の第十実施例が開示する静電容量方式タッチスクリーンを表す概略図である。
【図１０Ｅ】本発明の第十実施例が開示する静電容量方式タッチスクリーンを表す概略図である。
【発明を実施するための形態】
【０１３３】
本発明は実施例により詳細に記述される。しかし、以下の実施例に加えて、本発明は他の実施例にも適用でき、そして、本発明の範囲は以下の実施例に制限されない。そのうえ、説明のより良い理解ために、図面内の各々の部分にはその相対のサイズに従って作図することがなく、あるサイズとその他の関するサイズの割合は誇張され、そして、無関係な部分は省略される。
【０１３４】
図１Ｃを参照し、本発明の位置検出装置１００は感知層を有する感知装置１２０と駆動/検出単位１３０を備える。本発明の一実施例においては、第一感知層１２０Ａと第二感知層１２０Ｂを含む。第一感知層１２０Ａと第二感知層１２０Ｂそれぞれは複数個の導電ストライプ１４０を有し、第一感知層１２０Ａの複数個の第一の導電ストライプ１４０Ａと第二感知層１２０Ｂの複数個の第二の導電ストライプ１４０Ｂはオーバーラップして交差している。本発明の他の実施例においては、複数個の第一の導電ストライプ１４０Ａと複数個の第二の導電ストライプ１４０Ｂは同じ平面の感知層に配置されている。駆動/検出単位１３０は複数個の導電ストライプ１４０の信号によって感知情報を生成する。例えば、自己容量の検出ときは、駆動される導電ストライプ１４０を検出し、相互容量の検出ときは、駆動されない導電ストライプ１４０を検出する。また、感知装置１２０は奥遮断層（rear shielding layer）（図は示さない）を配置するのがよい、奥遮断層を配置しないのもよい。本発明の良い実施例においては、感知装置１２０の厚さを薄くするように、感知装置１２０と表示装置１１０の間に奥遮断層を配置しない。
【０１３５】
前記複数個の第一の導電ストライプと前記複数個の第二の導電ストライプは行又は列に配列する多数の行導電ストライプと列導電ストライプであるや、第一次元と第二次元に配列する多数の第一次元導電ストライプと第二次元導電ストライプであるや、第一軸と第二軸に沿う多数の第一軸導電ストライプと第二軸導電ストライプである。また、前記第一の導電ストライプと前記第二の導電ストライプそれぞれは垂直に交差するや、非垂直に交差する。例えば、極座標系で、前記第一の導電ストライプと前記第二の導電ストライプうちの一方は放射状に配列し、他方は環状に配列している。また、前記第一の導電ストライプと前記第二の導電ストライプうちの一方は駆動導電ストライプであり、他方は検出導電ストライプである。前記「第一次元」と「第二次元」や、「第一軸」と「第二軸」や、「駆動」と「検出」は前記「第一」と「第二」の導電ストライプを表すことができる。しかし、垂直グリッド（orthogonal grids）を構成することには限りない、第一次元と第二次元で交差する導電ストライプの幾何的構成でどれでも良い。
【０１３６】
本発明の位置検出装置１００はコンピュータシステムに応用する時に、図１Ｄの例に示すように、コントローラー１６０とホスト１７０を含む。コントローラー１６０は駆動/検出単位１３０を含み、感知装置１２０（図は示さない）と操作的に接続している。また、コントローラー１６０は処理器１６１を更に含むこともよい、駆動/検出単位１３０は感知情報を生成し、感知情報は処理器１６１のアクセスできるように、メモリー１６２に保存される。また、ホスト１７０はコンピュータシステムの主体であり、中央演算処理単位１７１と、中央演算処理単位１７１のアクセスための記憶単位１７３と、演算結果を表す表示装置１１０とを含む。
【０１３７】
本発明の他の実施例において、コントローラー１６０とホスト１７０の間には伝送インターフェースを含み、コントローラーは伝送インターフェースによってデータをホストに伝送する。本技術領域において普通の技術者は伝送インターフェースがＵＡＲＴや、ＵＳＢや、Ｉ２Ｃや、Ｂｌｕｅｔｏｏｔｈ（登録商標）や、ＷｉＦｉや、ＩＲなど様々な有線又は無線の伝送インターフェースを含むことをよく知っている。本発明の一実施例においては、伝送されるデータは位置（例えば、座標）や、識別結果（ジェスチャーコード）や、命令や、感知情報や、他のコントローラー１６０が提供できる情報などである。
【０１３８】
本発明の一実施例において、感知情報はコントローラー１６０の制御によって生成する開始感知情報（initial sensing information）であり、ホスト１７０で位置分析を行う。例えば、位置分析や、ジェスチャー判断や、命令判断等を行う。本発明の他の実施例において、感知情報は処理器１６１で分析され、更に結果として、判断された位置や、ジェスチャーや、命令などをホスト１７０に提供する。本発明は前記の例に限りない、本技術領域において普通の技術者はコントローラー１６０とホスト１７０の他の相互作用を推測できる。
【０１３９】
導電ストライプの交差区域それぞれについて、上の導電ストライプと下の導電ストライプは両極を構成している。交差区域それぞれは１つの画像（イメージ）又は１つの画素（ピクセル）であることが考えられる。１つ又は多数の外部導電物体は接近又はタッチすると、前記イメージは撮影されたタッチイメージ（タッチ画像）（例えば、指が感知装置をタッチするパターンである）であることが考えられる。
【０１４０】
駆動信号を駆動させよう導電ストライプに提供するとき、駆動される導電ストライプ自身は自己容量を構成し、駆動される導電ストライプ上で交差区域それぞれは相互容量を構成している。前記自己容量の検出は全て導電ストライプの自己容量を検出することであり、特に単一外部導電物体の接近又はタッチの判定に好ましく適用する。
【０１４１】
前記相互容量の検出は、駆動信号を駆動させよう導電ストライプに提供するとき、駆動される導電ストライプと違い次元に配列する全て感知される導電ストライプによって、駆動される導電ストライプ上に全て交差区域の容量又は容量変化量を検出し、イメージの一列の画素と考えられる。それによって、全ての列の画素を集めて前記イメージを構成する。１つ又は多数の外部導電物体は接近又はタッチすると、前記イメージは撮影されたタッチイメージであることが考えられ、特に多数の外部導電物体の接近又はタッチの判定に好ましく適用する。
【０１４２】
図１Ｅを参照し、図１Ｅには静電容量式タッチ感知器のパターンを表し、複数個の導電プレートと複数個の接続線を含む。前記複数個の接続線は複数個の第一の接続線と複数個の第二の接続線を含む。前記第一の接続線は第一方向（横方向と縦方向うちの１つ）に配置され、導電プレートの一部に接続し、第一方向に沿って配列する複数個の導電ストライプである。同様に、前記第二の接続線は第二方向（横方向と縦方向うちの残りの１つ）に配置され、導電プレートの一部に接続し、第二方向に沿って配列する複数個の導電ストライプである。
【０１４３】
前記導電ストライプ（第一の導電ストライプと第二の導電ストライプ）は透明又は不透明な材質からなることができる。例えば、透明な酸化インジウムスズ（ITO）からなる。その構造は単層構造（SITO; Single ITO）や二層構造（DITO; Double ITO）などであることができる。本技術領域において普通の技術者は他の材質を推測でき、ここでは詳細に説明しない。例えば、カーボンナノチューブが挙げられる。
【０１４４】
本実施例において、縦方向は第一方向であり、横方向は第二方向である。そのため、縦方向の導電ストライプは第一の導電ストライプであり、横方向の導電ストライプは第二の導電ストライプである。本技術領域において普通の技術者は前記説明が１つの例であり、本発明がそれに限りないことをよく知っている。例えば、横方向は第一方向であり、縦方向は第二方向であることが挙げられる。
【０１４５】
図１Ｆは図１Ｅに示すＩ処での断面図を表し、絶縁基材（substrate）１７と、第二の導電ストライプの一部（導電プレート１１と、第二の接続線１２と導電プレート１３を含む）と、絶縁層１８と、第一の導電ストライプの一部（第一の接続線１５を含む）と、絶縁表層１９を含む。本発明の一実施例において、基材１７、絶縁層１８、絶縁表層１９は透明又は不透明な材質からなることができる。例えば、ガラス、プラスチックフィルムなどが挙げられる。本技術領域において普通の技術者は他の構成方式を推測でき、ここでは詳細に説明しない。
【０１４６】
本発明の一実施例において、図１Ｇは図１Ｅに示すＩＩ処での断面図を表し、二重層の静電容量式タッチ感知器の構造概略図を表し、絶縁基材１７と、第二の導電ストライプの一部（第二の接続線１２を含む）と、絶縁層１８と、第一の導電ストライプの一部（導電プレート１４と、第一の接続線１５と、導電プレート１６を含む）と、絶縁表層１９を含む。
【０１４７】
本発明の一実施例において、図１Ｈは図１Ｅに示すＩ処での断面図を表し、単層の静電容量式タッチ感知器の構造概略図を表し、絶縁基材１７と、第二の導電ストライプの一部（第二の接続線１２を含む）と、絶縁層１８と、第一の導電ストライプの一部（導電プレート１４と、第一の接続線１５と、導電プレート１６を含む）と、絶縁表層１９を含む。第一の導電ストライプの導電プレート１４、１６と第二の導電ストライプの第二の接続線１２は同じ平面に配置され、第一の接続線１５は架橋方式で第二の接続線１２を跨げ、絶縁層１８を介して第二の接続線１２と絶縁している。本技術領域において普通の技術者は他の架橋方式を推測でき、ここでは詳細に説明しない。例えば、本実施例の上を向く架橋方式に対し、下を向く架橋方式が挙げられる。
【０１４８】
図１Ａを参照し、タッチ関係感知情報ＳＡは第一指Ａと駆動される導電ストライプ及び感知される導電ストライプの間の相互容量性カップリングの変化を表し、また、タッチ関係感知情報ＳＢは第二指Ｂと感知される導電ストライプとの相互容量性カップリングの変化を表す。
【０１４９】
同じ手の第一指Ａと第二指Ｂは同時に感知される導電ストライプを接近又はタッチすると、正タッチ信号は指間に流通する逆信号によって減少され、図１Ｂに示すように、この問題を解決する最直接の方式は指間に感知される導電ストライプへ流通する信号を減少することである。容量性カップリングの程度は に基づいて、容量性カップリングＣは容量性カップリングの面積Ａに正比例し、容量性カップリングの距離ｄに反比例する。
【０１５０】
指と感知される導電ストライプの間に絶縁表層を介すため、指間に感知される導電ストライプへ流通する信号を減少する方法の１つは絶縁表層の厚さを増加することである。本発明の一実施例において、絶縁表層は表層ガラスであり、その厚さは１.１ｍｍ又は１.０ｍｍ以上のが適当である。
【０１５１】
しかし、携帯型装置は薄れば薄いほど好ましいので、表層ガラスも薄れば薄いほど要求される。本発明の一実施例において、絶縁表層の厚さは０.７ｍｍ以下で要求され、そして、指間に感知される導電ストライプへ流通する信号を減少する方法のもう１つは感知される導電ストライプの露出面積を減少することである。
【０１５２】
図２Ａを参照し、人体の第一指と第二指は静電容量方式タッチスクリーンの第一タッチ区域Ｐ１と第二タッチ区域Ｐ２にタッチし、第一タッチ区域Ｐ１は第一の導電ストライプＴｘ１と第二の導電ストライプＲｘ１の交差区域をカバーし（覆い）、また、第二タッチ区域Ｐ２は第一の導電ストライプＴｘ２と第二の導電ストライプＲｘ２の交差区域をカバーする（覆う）。駆動信号ＳＤを第一の導電ストライプＴｘ１に提供するときに、直流信号は第一の導電ストライプＴｘ２も含む他の第一の導電ストライプに提供され、第二の導電ストライプそれぞれは検出される。本発明の一実施例において、検出されない第二の導電ストライプには直流信号を提供することができる。前記直流信号は接地回路又は直流信号を保つ回路から提供されることができるため、本発明で、接地回路又は直流信号を保つ回路に接続することは直流信号が提供されることと考えられ、例えば、接地される回路、接地される導電ストライプが挙げられる。同じ理由で、駆動信号を提供する回路に接続することは駆動信号が提供されることと考えられ、例えば、駆動される回路、駆動される導電ストライプが挙げられる。また、駆動信号ＳＤは同時に多数の導電ストライプに提供されることができる。本発明の良い実施例において、隣接の２個、３個のような多数の導電ストライプが挙げられる。同時に一部の導電ストライプを駆動すると、感知導電ストライプが感知する信号を最適化に制御（強化）でき、且つ、自己容量方式の検出とき、絶縁表層に付着する水気又は導電粒による影響を減少する。
【０１５３】
図に示すように、駆動信号ＳＤは第一の導電ストライプＴｘ１に提供されるとき、第一タッチ区域Ｐ１にタッチする指が正タッチであり、また、駆動信号ＳＤは第一の導電ストライプＴｘ２に提供されるとき、第二タッチ区域Ｐ２にタッチする指が正タッチである。同様に、負タッチの指は駆動信号ＳＤがに違い第一の導電ストライプに提供されることを連れて変化する。便利に説明のために、以下は正タッチの指（実タッチの指）を第一指とし、負タッチ現象による指を第二指とする。
【０１５４】
それによって、第一タッチ区域Ｐ１において、形成する容量性カップリング量は、第一の導電ストライプＴｘ１と第二の導電ストライプＲｘ１の間に容量性カップリング量Ｃｔｒ１と、第一の導電ストライプＴｘ１と第一指Ｈ１の間に容量性カップリング量Ｃｈｔ１と、第二の導電ストライプＲｘ１と第一指Ｈ１の間に容量性カップリング量Ｃｈｒ１を含む。同様に、第二タッチ区域Ｐ２において、形成する容量性カップリング量は、第一の導電ストライプＴｘ２と第二の導電ストライプＲｘ２の間に容量性カップリング量Ｃｔｒ２と、第一の導電ストライプＴｘ２と第二指Ｈ２の間に容量性カップリング量Ｃｈｔ２と、第二の導電ストライプＲｘ２と第二指Ｈ２の間に容量性カップリング量Ｃｈｒ２を含む。
【０１５５】
また、第一指Ｈ１と第二指Ｈ２を接する人体と装置の間に容量性カップリング量Ｃｈｇは存在している。この値は１０ｐｆ〜２５０ｐｆであり、その間に流通する信号はＳｇである。
【０１５６】
従って、駆動信号ＳＤは１つ又は多数の第一の導電ストライプＴｘ１に提供されるとき、各第二の導電ストライプの信号を検出することによって、第二の導電ストライプと第一の導電ストライプが交差する交差区域の信号又は信号変化量（タッチされないときの信号に対する信号変化量）を表示又は取得する。同様に、駆動信号ＳＤを他の第一の導電ストライプに提供することによって、全て交差区域の信号又は信号変化量を表示又は取得する。例えば、第二の導電ストライプＲｘ１とＲｘ２から信号Ｓｒ１とＳr２を検出することは交差区域に容量性カップリング量を表す。また、同じ交差区域にタッチされない時の容量性カップリング量と比べると、信号変化量を取得することはできる。指のような外部導電物体はタッチするとき、交差区域の容量性カップリング量又は変化量はタッチされる位置を表すことができる。図中に第一指Ｈ１と第二指Ｈ２それぞれは１つの第一の導電ストライプと１つの第二の導電ストライプに容量性カップリングするが、本技術領域において普通の技術者は1つの指が多数の導電ストライプに容量性カップリングすることを推測できる。
【０１５７】
駆動信号ＳＤは信号Ｓｒとして流出することだけではなく、信号Ｓ１とし、導電ストライプから外部導電物体へ流す。例えば、導電ストライプから容量性カップリングによって第一指Ｈ１へ流すことは挙げられる。信号Ｓ１の一部又は全部は信号Ｓｇとし、外部導電物体から容量性カップリングによって地又はシステムの地（接地）へ流し、また、信号Ｓ１の一部又は全部は信号Ｓ２とし、外部導電物体を経由して容量性カップリングによって導電ストライプへ流す。例えば、第二の導電ストライプへ流す信号Ｓｒ２になり、又は/及び、直流信号が提供される第一の導電ストライプへ流すことは挙げられる。
【０１５８】
従って、第一の導電ストライプＴｘ１と第二の導電ストライプＲｘ１が交差する交差区域の容量性カップリングの変化を検出できるだけではなく、第一の導電ストライプＴｘ１と第二の導電ストライプＲｘ２が交差する交差区域の容量性カップリングの変化も検出できる。第一の導電ストライプＴｘ１と第二の導電ストライプＲｘ２が交差する交差区域に実の容量性カップリングは存在しないから、検出された信号は容量性カップリングの変化があることを表し、そして、不存在の負タッチを構成する。また、信号は第一指Ｈ１から第二指Ｈ２へ流すから、第二の導電ストライプＲｘ１とＲｘ２が検出した信号はお互いに逆の関係にある。第二の導電ストライプＲｘ１が検出した実タッチの信号Ｓｒ１は正タッチの信号と考えられると、第二の導電ストライプＲｘ２が検出した非現実タッチ（ファントムタッチ）の信号Ｓｒ２は負タッチの信号と考えられる。第一タッチ区域Ｐ１と第二タッチ区域Ｐ２に対する第二の導電ストライプは接近しているか、又は第一タッチ区域Ｐ１と第二タッチ区域Ｐ２は同じ第二の導電ストライプに拡張するとき、正タッチと負タッチの信号は互いに取り消す場合は正タッチの信号が小さ過ぎて検出されない可能性がある。負タッチの数は多くなると、この状況は明らかになる。更に、正タッチと負タッチの信号は消して負タッチの信号になる可能性もある。抵抗/電気容量の分析にとって、第二タッチ区域Ｐ２に直流信号が提供される回路の電気容量はＣｈｇ+Ｃｈｔ２（駆動信号が第一の導電ストライプＴｘ１に提供されるとき、直流信号は第一の導電ストライプＴｘ２に提供される（例えば、接地する）。）であり、負タッチの信号と第二の導電ストライプＲｘ２の電気容量はＣｈｒ２である。そして、正タッチと負タッチの比率はGTR＝（Chr2）/（Chg+Cht2）である。正タッチと負タッチの比率GTRは小さいほど、正タッチと負タッチの信号はお互いに取り消す効果は小さくなる。正タッチ信号に対する負タッチ信号の影響を除去又は減少するために、直流信号が提供される回路の面積を調整し、第二指Ｈ２は接近又はタッチするとき、大部分のタッチ範囲は直流信号が提供される回路（例えば、駆動信号が提供されないが第一の導電ストライプ）上に覆う。
【０１５９】
正タッチと負タッチの信号はお互いに取り消すことによる正タッチの誤判を解決する方法は、できるだけ負タッチの信号を減少する。最直接の手段は外部導電物体と第二の導電ストライプの間の距離を増加し、例えば、第二指Ｈ２と第二の導電ストライプＲｘ２の間の距離を増加する。本発明の一実施例において、絶縁表層はガラスであり、第二指Ｈ２と第二の導電ストライプＲｘ２の間の距離は約１.１ｍｍ以上であると、単一正タッチと単一負タッチの信号を取り消す問題は解決されることができる。しかし、単一正タッチと多数の負タッチの信号を取り消す問題は、指と第二の導電ストライプの間の距離を更に増加しなければならない可能性がある。この距離は０.７ｍｍ以下になることは困難がある。従って、できるだけ負タッチの信号を減少するために、指と第二の導電ストライプの間の距離を更に増加しなければならない。しかし、それは静電容量方式タッチスクリーンの厚さは薄くなる要求と違いから。
【０１６０】
正タッチと負タッチの比率はGTR＝（Chr2）/（Chg+Cht2）であるから、正タッチと負タッチの信号はお互いに取り消す現象（以下、「負タッチ現象」をいう）を減少するように、第二の導電ストライプと指の間に容量性カップリングＣｈｒ２を減少すること、又は指と直流信号回路の間の容量性カップリング（Ｃｈｇ+Ｃｈｔ２）を増加することは必要がある。
【０１６１】
そのため、本発明の一実施例において、１つの導電ストライプパターンの多数の第一の導電ストライプと多数の第二の導電ストライプは互いに交差して互いに露出し、前記第一の導電ストライプの露出面積は前記第一の導電ストライプの露出面積より大きい。本発明の他の実施例において、外部導電物体が接近又はタッチする有効タッチの容量性カップリング範囲は大きくて１つの位置を判断できるとき、導電ストライプパターンは容量性カップリング範囲中でカバー又は容量性カップリングする第一の導電ストライプの露出面積を、カバー又は容量性カップリングする第二の導電ストライプの露出面積より大きくさせる。例えば、第二の導電ストライプの露出面積を第一の導電ストライプの露出面積の半分より小さくし、且つ容量性カップリング範囲は各交差区域の面積より大きい。第一の導電ストライプと第二の導電ストライプは静電容量方式タッチスクリーンのアクティブ領域を満たす又はほぼ満たすとき、この導電ストライプパターンは多数の交差区域を跨げる任意の有効タッチの容量性カップリング範囲がカバー又は容量性カップリングする第一の導電ストライプの露出面積を、カバー又は容量性カップリングする第二の導電ストライプの露出面積より大きくさせる。
【０１６２】
前記外部導電物体はタッチ範囲が予定条件より大きいときに、有効タッチを構成し、そのうち、有効タッチは位置判断できる信号又は信号変化量をさせることができる。予定条件はある幅や、長さや、面積などである。例えば、タッチ範囲の最大又は最小の幅を予定条件より大きい、又は面積は予定条件より大きい。そして、単層構造中で、第二指Ｈ２と第二の導電ストライプの容量性カップリング量は直流信号との間の容量性カップリング量より小さい。
【０１６３】
また、二層構造中で、第一の導電ストライプは上層に位置し、第二の導電ストライプは下層に位置し、即ち、第一の導電ストライプは外部導電物体に近い層に位置する。そして、静電容量方式タッチスクリーンに対する任意の外部導電物体のタッチ範囲は予定条件より大きいとき、有効タッチを形成する。また、タッチ範囲が第一の導電ストライプをカバーする面積は、タッチ範囲が第二の導電ストライプをカバーする面積より大きいとき、第二指Ｈ２と第二の導電ストライプの容量性カップリング量は直流信号との間の容量性カップリング量より小さい。
【０１６４】
先行技術では、第二指Ｈ２と第二の導電ストライプの容量性カップリング量は直流信号との間の容量性カップリング量より小さいことは確認しない場合、第二指Ｈ２の数は多くなるほど、第二指Ｈ２と第二の導電ストライプの容量性カップリングによって第二の導電ストライプへ流す信号は多くなる。
【０１６５】
図２Ｂを参照し、図２Ｂは負タッチ信号Ｓ２が導電ストライプへ流入することを表す概略図である。図中に抵抗Ｒは負タッチ信号Ｓ２が導電ストライプへ流入する前の抵抗である。駆動信号が第一指Ｈ１に容量性カップリングする信号は第二指Ｈ２を経由して第二の導電ストライプとの容量性カップリングＣｒと、直流信号が提供される回路（例えば、駆動信号が提供されない第一の導電ストライプ）との容量性カップリングＣｇを形成し、第二の導電ストライプへ流入する信号Ｉｒと、直流信号が提供される回路へ流入する信号Ｉｇを形成する。明らかに、駆動信号が第一指Ｈ１に容量性カップリングする後、並列に第二の導電ストライプと直流信号が提供される回路へ流し、第二指Ｈ２を増加するとき、相対的に容量性カップリングＣｒとＣｇも増加する。容量性カップリングＣｒの増加量は容量性カップリングＣｇの増加量より大きくなければ、抵抗は容量に反比例するため、信号Ｉｒは増加し、且つ信号Ｉｇは減少する。即ち、負タッチ現象は増加する。
【０１６６】
従って、負タッチによる第二指Ｈ２の数は多くなるほど、第二の導電ストライプと第二指Ｈ２の距離は多くなることが必要である。例えば、絶縁表層の厚さは厚くなることは要求され、それによって、負タッチ現象の影響が耐えられ、正タッチの位置の誤判が起きらない。しかし、絶縁表層の厚さを増加することは静電容量方式タッチスクリーンの厚さを薄くなる目標に反対する。
【０１６７】
それによって、本発明によれば、負タッチ現象を減少する技術手段は導電ストライプパターンを利用し、有効タッチのタッチ範囲が予定条件より大きいで、導電ストライプパターンの設計は予定条件より大きいタッチ範囲がカバーする第一の導電ストライプの露出面積は必ずカバーする第二の導電ストライプの露出面積より大きいことに基づく。そして、第二指Ｈ２の数は増加するとき、容量性カップリングＣｇの増加量は容量性カップリングＣｒの増加量より大きい。抵抗は容量に反比例するため、信号Ｉｇは増加し、且つ信号Ｉｒは減少する。即ち、負タッチ現象は減少する。
【０１６８】
本発明の１つの最適な例において、第一の導電ストライプは二層構造の上層に位置し、第二の導電ストライプは二層構造の下層に位置する。例えば、図３に示すように、上層の第一の導電ストライプと下層の第二の導電ストライプが露出するの輪郭は相同になるが、第二の導電ストライプは多数の開口を含み、そして、第一の導電ストライプの露出面積は第二の導電ストライプの露出面積より大きい。
【０１６９】
前記開口の設計と大きさは駆動信号を少なくとも１つの外部導電物体に容量性カップリングする信号が、他の外部導電物体の容量性カップリングによって第二の導電ストライプへ流入する量を、直流信号が提供される回路の量より小さくさせる。言い換えると、前記第二指Ｈ２の数は増加するとき、駆動信号を少なくとも１つの外部導電物体に容量性カップリングする信号と第二の導電ストライプの容量性カップリング増加量は直流信号が提供される回路との容量性カップリング増加量より小さい、ともに第二の導電ストライプへ流入する負タッチ信号Ｓ２の比率は減少し、且つ、直流信号が提供される回路へ流入する負タッチ信号Ｓ２の比率は増加する。
【０１７０】
本発明では、容量性カップリングによって導電ストライプから流出する信号量は同じである条件で、第二指H2の数は多くなるほど、第二指Ｈ２と第二の導電ストライプの容量性カップリングによって第二の導電ストライプへ流入する信号は減少になる。この条件で、絶縁表層の厚さは１つの第二指Ｈ２による負タッチの影響を耐えれば、足りる。前記負タッチの影響を耐えることは１つ又は多数の第二指Ｈ２による負タッチするとき、正タッチの位置それぞれを正確に判断できることを意味する。
【０１７１】
上述によれば、静電容量方式タッチスクリーンは不透明であると、例えば、ノートパソコンのタッチパッドとするとき、感知される導電ストライプ（例えば、第二の導電ストライプ）は細くなれば、負タッチの影響を減少できる。しかし、ばらばらの感知される導電ストライプであれば、指は斜めの直線を引くとき、指の位置を表す一連の座標は鋸歯状の斜め線を示す可能性がある。さらに、感知される導電ストライプはよりバラバラになれば、鋸歯状の程度はより大きい。
【０１７２】
また、静電容量方式タッチスクリーンは透明であると、例えば、ディスプレーに覆いてタッチセンスディスプレーを形成するとき、光透過率ができるだけ均一になるために、図１Ｅに示すように、静電容量方式タッチスクリーン上の導電ストライプはできるだけアクティブ領域を満たす必要がある。図中の導電ストライプは菱形であるが、本技術領域において普通の技術者は導電ストライプが六角形、八角形等多角形や、他の幾何的形状であることを推測できる。
【０１７３】
図３Ａを参照し、図３Ａは本発明の第一実施例が提供する静電容量方式タッチスクリーンを表す図である。静電容量方式タッチスクリーンは１つの導電ストライプパターン３０を備え、それは多数の第一の導電ストライプ３１と第二の導電ストライプ３２を含み、第一の導電ストライプ３１と第二の導電ストライプ３２は互いに露出し、多数の交差区域に交差する。そのうち、第一の導電ストライプ３１は複数個の第一の導電プレート３３の接続からなり、第二の導電ストライプ３２は複数個の第二の導電プレート３４の接続からなり、前記第二の導電プレートは複数個の開口３５を有する。
【０１７４】
第二の導電プレートそれぞれは１つ又は多数の開口を有し、開口の大きさ（又は面積）は予定条件より大きい有効タッチのタッチ範囲が第一の導電ストライプの露出面積をカバーする面積が、タッチ範囲が第二の導電ストライプの露出面積をカバーする面積より大きいことをさせる。前記有効タッチは外部導電物体が導電ストライプパターンをタッチするとき、タッチ位置を正確に判断させる。導電ストライプパターンと外部導電物体の特性によって、予定条件は違い、そのうち、特性は抵抗容量（ＲＣ）回路を挙げる。
【０１７５】
前記有効タッチが予定条件より大きいことは測定する必要がない。即ち、導電ストライプパターンの設計によって、タッチ範囲が特定の幅又は面積を超えれば、タッチ範囲がカバーする直流信号が提供される回路の露出面積は、タッチ範囲がカバーする第二の導電ストライプの露出面積より大きい。
【０１７６】
図３Ｂを参照し、前記開口３５中には仮導電プレート３６を有する。開口３５それぞれは１つ又は多数の仮導電プレート３６を有することができる。仮導電プレート３６を構成する材料は第二の導電ストライプを構成する材料と同じであることができ、又は同程度の透過率と色度であることもできる。できるだけ、導電ストライプパターン３０の透過率と一致することは好ましい。
【０１７７】
二層構造（DITO）で、第一の導電ストライプは上層（外部導電物体に近い層）に位置し、第二の導電ストライプは下層（外部導電物体に遠い層）に位置する。単層構造（SITO）で、第一の導電プレートと第二の導電プレートは同じ層に位置し、第一の導電プレートと第二の導電プレートそれぞれに接続する多数の第一接続線と多数の第二接続線は互いに多数の交差区域に交差する。本発明の１つの好ましい例において、単層構造で前記第一接続線は前記第二接続線と絶縁表層の間に跨げる。
【０１７８】
従って、第一の導電ストライプと第二の導電ストライプの輪郭はアクティブ領域を満たす又はほぼ満たすとき、第二の導電ストライプに配置する前記開口は第二の導電ストライプの面積を有効に減少し、また、良い精度を維持しており、指は斜めの直線を引くときの指の位置を表すの座標が鋸歯状の斜め線を示すことは減少する。実際に、指が移動する過程によって、指が移動しよう経路は推測される。それによって、鋸歯状の程度を校正することはできる。導電ストライプの輪郭はアクティブ領域を満たす又はほぼ満たすとき、直接に信号で鋸歯状の程度を減少し、そして、前記校正は精度を更に上げる。また、本発明の１つの例において、導電プレートの対角線の長さは約５.５ｍｍであり、本技術領域において普通の技術者は他の適用長さを推測できるから、本発明は前記の例に限りではない。
【０１７９】
前記第二の導電ストライプの露出面積を減少するために、第二の導電ストライプが多数の開口を含むこと以外は、第二の導電ストライプの線幅を減少することもできる。短く言えば、第一の導電ストライプの露出面積を第二の導電ストライプの露出面積より大きければ、又はタッチ範囲が予定条件（例えばある幅又はある面積）より大きければ、タッチ範囲が覆う第一の導電ストライプの露出面積は覆う第二の導電ストライプの露出面積より大きい。例えば、タッチ範囲は多数の交差区域を跨げるとき、タッチ範囲の大部分は露出した第一の導電ストライプを覆う（カバーする）。
【０１８０】
それによって、本発明は導電ストライプパターン又は前記開口を利用し、該静電容量方式タッチスクリーンに対する外部導電物体それぞれのタッチ範囲が予定条件より大きいことをさせるとき、外部導電物体それぞれは第一の導電ストライプとのカップリング量が前記第二の導電ストライプとのカップリング量より大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少する。
【０１８１】
また、直流信号は前記駆動信号が提供されない第一の導電ストライプに提供され、且つ、前記駆動信号が前記外部導電物体中で少なくとも一つの第一の外部導電物体によって前記導電ストライプから流出して前記外部導電物体中で少なくとも一つの第二の外部導電物体によって前記直流信号が提供される回路（第一の導電ストライプ）へ流入する比率は、前記第二の外部導電物体の数の増加を連れて増加する。
【０１８２】
本技術領域において普通の技術者は図３Ａで開口３５と仮導電プレート３６が菱形以外の他の幾何的形状も有することを推測できる。本発明の１つの例において、仮導電プレートは導電プレートと同じ材質からなることができる。
【０１８３】
静電容量方式タッチスクリーンは更にディスプレー（表示装置）に結合し、静電容量方式タッチセンスディスプレー（capacitive touch sensitive display）とする。本発明の１つの好ましい例において、静電容量方式タッチスクリーンの導電ストライプとディスプレーの間に直流電位を提供する奥遮断層は存在しない。公知の奥遮断層は直流電位が提供され、導電ストライプとディスプレーの間に配置し、接地電位を維持し、ディスプレーからノイズを導電ストライプへ阻止する。
【０１８４】
奥遮断層を持たなければ、静電容量方式タッチスクリーンは厚さを顕著に減少するが、ディスプレーからノイズの干渉問題を有効に解決しなければならない。それによって、本発明は制御回路を利用し、第二の導電ストライプが提供する容量性カップリング信号によって、感知情報を生成し、導電ストライプ間の信号の減算によって、同相雑音（common mode noise）は抑制される。
【０１８５】
本発明の１つの例において、第二の導電ストライプが提供する容量性カップリング信号によって、連続の複数個の差値は生成し、その値それぞれは一対の導電ストライプ（例えば、第二の導電ストライプ）の信号の差である。例えば、ｎ個の導電ストライプは（ｎ-１）個の差値を生成し、その値それぞれは１つの導電ストライプとその前の導電ストライプの信号の差である。隣接の導電ストライプはディスプレーからノイズ（雑音）の干渉が似ているから、隣接の一対の導電ストライプの信号の減算結果は大部分のノイズを有効に除去できる。言い換えると、前記差はディスプレーからノイズを抑制する。
【０１８６】
本発明のもう１つの例において、第二の導電ストライプが提供する容量性カップリング信号によって、連続の複数個の二重差値は生成し、その値それぞれは３個の導電ストライプ中の二対の導電ストライプの信号差の差である。例えば、ｎ個の導電ストライプは（ｎ-２）個の二重差値を生成し、二重差値それぞれは前の一対の導電ストライプと後の一対の導電ストライプの信号差の差である。隣接の導電ストライプはディスプレーからノイズ（雑音）の干渉が似ているから、隣接の一対の導電ストライプの信号の減算結果は大部分のノイズを有効に除去できる。
【０１８７】
本発明の１つの例において、静電容量方式タッチスクリーンとディスプレーの間には直流信号にカップリングする奥遮断層が存在しており、奥遮断層を持たない静電容量方式タッチスクリーンに対し、全体はより厚い。
【０１８８】
しかし、静電容量方式タッチスクリーンは圧力を受けることによって変形を生成するとき、各導電ストライプはディスプレーとの距離が変わるから、受けるノイズの干渉も変わる。例えば、静電容量方式タッチスクリーンの周囲はディスプレーに装着され、静電容量方式タッチスクリーンの装着されない部分は圧力を受けることによって変形を生成する。隣接の導電ストライプはディスプレーからノイズの干渉が似ているから、３個の導電ストライプ中の前の一対の導電ストライプの間と後の一対の導電ストライプの間に、変形によるノイズの干渉も似ており、前の一対の導電ストライプの信号の差と後の一対の導電ストライプの信号の減算は、大部分の変形によるノイズの干渉の変化を有効に除去できる。言い換えると、二重差値はディスプレーからノイズを抑制する。
【０１８９】
前記差値は順序に又は同時に第二の導電ストライプの一部又は全部を検出する後、アナログ信号からデジタルデータを変換し、また、デジタルデータによって感知情報を生成する。また、第二の導電ストライプの一部又は全部を検出する過程の途中又は過程後、減算回路（例えば、差動増幅器）で差値のアナログ信号を生成し、デジタルデータを変換し、感知情報を生成する。
【０１９０】
前記連続差値と連続二重差値中で、外部導電物体の接近又はタッチに対応する部分は１つ又は多数の零交差箇所を有し、一つの正値と一つの負値との間には零交差箇所がある。図４Ａを参照し、図４Ａは連続差値を含む感知情報を表す概略図である。１つの外部導電物体の接近又はタッチに対応する部分は１つの零交差箇所４１を表し、この零交差箇所４１は外部導電物体の位置に対応している。零交差箇所４１の位置は零交差箇所４１の両側の正値と負値の間の傾きによって算出されることができる。また、図４Ｂを参照し、図４Ｂは連続二重差値を含む感知情報を表す概略図である。１つの外部導電物体の接近又はタッチに対応する部分は一対の零交差箇所を表し、この一対の零交差箇所の間のピーク４２は外部導電物体の位置に対応している。ピーク４２の位置はピーク４２の両側の値を走査することによって計算されることができ、例えば、ピーク４２の両側の値によって重心位置を計算する。
【０１９１】
相互容量性検出の過程中で、交差区域アレイに対し、前記交差区域に対応する１つのイメージは捜し出されることができる。例えば、図４Ａと図４Ｂは単一の第一の導電ストライプ上に対応する一次元感知情報であり、第一の導電ストライプ上に対応する一次元感知情報それぞれを集める二次元感知情報は１つのイメージになる。
【０１９２】
本発明の１つの例において、静電容量方式タッチスクリーンはタッチされない前に１つの開始イメージを記録し、それから、毎回走査するイメージは開始イメージと比べて、全ての外部導電物体の位置を判断する。例えば、毎回走査するイメージと開始イメージ中で対応する値それぞれを減算することによって、１つの差イメージを生成し、そして、差イメージの変化から外部導電物体それぞれの位置を判断する。
【０１９３】
図５を参照し、図５は本発明の第二実施例が提供する静電容量方式タッチセンスディスプレーの検出方法のフロー図である。まず、工程５１０に示すように、奥遮断層を持たない静電容量方式タッチセンスディスプレーを提供し、静電容量方式タッチセンスディスプレーは互いに露出する複数個の導電ストライプと表示装置を含む。前記導電ストライプは複数個の相互容量の検出時操作的に駆動信号が提供される第一の導電ストライプと相互容量性カップリング信号を提供する第二の導電ストライプを有し、導電ストライプ同士間は分離している。また、表示装置と前記導電ストライプとの間には直流電位を提供する奥遮断層が存在しない。前記導電ストライプパターンは該静電容量方式タッチスクリーンに対する外部導電物体それぞれのタッチ範囲が予定条件より大きいことをさせるとき、外部導電物体それぞれは前記第一の導電ストライプとの容量性カップリングが前記第二の導電ストライプとの容量性カップリングより大きい、そして、前記駆動信号が前記外部導電物体中で少なくとも一つの第一の外部導電物体によって前記導電ストライプから流出してから前記外部導電物体中で少なくとも一つの第二の外部導電物体によって前記第二の導電ストライプへ流入する比率は、第二の外部導電物体の数の増加を連れて減少する。
【０１９４】
また、直流信号は前記駆動信号が提供されない第一の導電ストライプに提供され、且つ、前記駆動信号が前記外部導電物体中で少なくとも一つの第一の外部導電物体によって前記導電ストライプから流出して前記外部導電物体中で少なくとも一つの第二の外部導電物体によって前記直流信号が提供される回路（第一の導電ストライプ）へ流入する比率は、前記第二の外部導電物体の数の増加を連れて増加する。
【０１９５】
次に、工程５２０に示すように、同時に連続的に一つの駆動信号を少なくとも一つの第一の導電ストライプに提供する。例えば、前記駆動/検出単位１３０は駆動信号を少なくとも一つの第一の導電ストライプに提供する。１回で1つの第一の導電ストライプに提供することができ、また、同時に隣接の２個又は３個の第一の導電ストライプに提供することができる。
【０１９６】
また、工程５３０に示すように、駆動信号が毎回提供される時、第二の導電ストライプが提供する相互容量性カップリング信号によって一つの感知情報を生成する。そのうち、該感知情報の値それぞれは一対の第二の導電ストライプの信号の差又は３個の第二の導電ストライプ中の二対の第二の導電ストライプの信号の差の差であり、前記差は表示装置からノイズを抑制する。
【０１９７】
本実施例の相関詳細は前記の説明で開示したので、ここでは更に説明しない。
【０１９８】
本発明は１つの防護パターン（guarding pattern）を更に含み、防護パターンは導電材料からなり、透明又は不透明であり、防護パターンは前記導電ストライプパターン（例えば、第一の導電ストライプと第二の導電ストライプ）と互いに露出し、そのうち、直流信号は防護パターンに提供される。絶縁表層から静電容量方式タッチスクリーンへ観察すると、防護パターンと導電ストライプパターンの間には小部分だけが重なり、且つ防護パターンと導電ストライプパターンは相互の間隙で露出している。
【０１９９】
本発明の１つの例において、タッチ範囲は予定条件より大きいとき、タッチ範囲は必ず防護パターンを覆う。本発明のもう１つの例において、タッチ範囲は予定条件より大きいとき、タッチ範囲が防護パターンを覆う面積は第二の導電ストライプを覆う面積より大きい。更に、本発明のもう１つの例において、タッチ範囲は予定条件より大きいとき、タッチ範囲が直流信号が提供される回路を覆う面積は、第二の導電ストライプを覆う面積より大きい。そのうち、直流信号が提供される回路は防護パターンの一部と第一の導電ストライプを含む。
【０２００】
図６を参照し、図６は防護パターンを有する静電容量方式タッチスクリーンでファントムタッチ影響を分析する概略図である。図２Ａに対照し、防護パターンを有する静電容量方式タッチスクリーン上で、第一指Ｈ１と防護パターンの間には容量性カップリングＣｈｇ１を発生し、且つ第二指Ｈ２と防護パターンの間には容量性カップリングＣｈｇ２を発生する。
【０２０１】
抵抗/容量の分析において、第二タッチ区域Ｐ２で、直流信号が提供される回路の容量はＣｈｇ+Ｃｈｔ２+Ｃｈｇ２であり、負タッチ信号と第二の導電ストライプＲｘ２の容量はＣｈｒ２である。そして、負タッチと正タッチの比率はGTR＝（Chr2）/（Chg+Cht2+Chg2）である。正タッチと負タッチの比率GTRは小さいほど、正タッチ信号と負タッチ信号はお互いに取り消す効果は小さくなる。正タッチ信号に対する負タッチ信号の影響を除去又は減少するために、第二の導電ストライプの露出面積の減少以外は、直流信号が提供される回路の面積を増加し、第二指Ｈ２は接近又はタッチするとき、大部分のタッチ範囲は直流信号が提供される回路（例えば、防護パターンと駆動信号が提供されないが第一の導電ストライプ）上に覆う。
【０２０２】
本発明の１つの例において、防護パターンと単層構造である導電ストライプは同じ層に位置する。本発明の他の例において、防護パターンと二層構造である第一の導電ストライプ又は第二の導電ストライプは同じ層に位置し、好ましい配置は防護パターンを絶縁表層に近い上層に位置することである。
【０２０３】
図７Ａを参照し、図７Ａは本発明の第三実施例が開示する防護パターンを表す概略図である。防護パターンは多数の防護プレート７１と防護連接線７２を含む。図３Ａに対し、開口３５には更に多数の防護プレート７１を含む。直流信号（又は接地）は防護連接線７２を直列に又は並列に接続することによって、防護プレート７１に提供する。
【０２０４】
図３Ａに対し、本実施例の防護パターンは開口３５に位置する前記防護プレート７１と、直列に及び/又は並列に前記防護プレートに接続されて前記直流信号を提供する複数個の防護連接線とを含む。
【０２０５】
図７Ｂを参照し、図７Ｂは本発明の第四実施例が開示する防護パターンを表す概略図である。防護パターンは多数の防護プレート７１と防護連接線７２を含む。図７Ａに対し、第一の導電ストライプ３１は多数の開口３５を含み、且つ、第一の導電ストライプ３１の開口３５には多数の防護プレート７１を含む。
【０２０６】
図３Ａに対し、本実施例の防護パターンは開口３５に位置する前記防護プレート７１と、直列に及び/又は並列に前記防護プレートに接続されて前記直流信号を提供する複数個の防護連接線とを含む。
【０２０７】
図７Ａと図７Ｂ中で、導電ストライプは多数の菱形の導電プレートを含むが、本技術領域において普通の技術者は導電ストライプが四角形、六角形、八角形等多角形や、他の幾何的形状であることを推測できる。また、導電ストライプは直線（ストライプ）状のような輪郭を持たないこともよい。
【０２０８】
図７Ｃを参照し、図７Ｃは本発明の第五実施例が開示する防護パターンを表す概略図である。第一の導電ストライプ３１の両側それぞれには１つの第三の導電ストライプ７３を有し、且つ、第二の導電ストライプ３２の両側それぞれには１つの第四の導電ストライプ７４を有し、第三の導電ストライプ７３と第四の導電ストライプ７４は防護パターンを構成する。言い換えると、第一の導電ストライプ３１と第二の導電ストライプ３２は多数の交差区域に交差し、且つ、第一の導電ストライプ３１と第二の導電ストライプ３２それぞれの両側はそれぞれ防護導電ストライプ（第三の導電ストライプ７３と第四の導電ストライプ７４）を有する。また、第一の導電ストライプ３１、第二の導電ストライプ３２、第三の導電ストライプ７３、及び第四の導電ストライプ７４は互いに分離しており、第一の導電ストライプ３１と第三の導電ストライプ７３は第二の導電ストライプ３２と第四の導電ストライプ７４に交差している。
【０２０９】
第三の導電ストライプ７３と第四の導電ストライプ７４は防護パターンを構成する防護導電ストライプであり、且つ、第一の導電ストライプ３１それぞれと第二の導電ストライプ３２それぞれの両側は１つの防護導電ストライプに隣接している。また、防護導電ストライプの輪郭は隣接の第一の導電ストライプ３１又は第二の導電ストライプ３２の輪郭と一致する。
【０２１０】
図に第一の導電ストライプは接続点Ｗ１を有し、接続点Ｗ１から導電ワイヤーで制御回路又は制御器（コントローラー）に接続している。前記のように、駆動/検出単位１３０は操作的に駆動信号を提供する。また、に第一の導電ストライプは接続点Ｗ２を有し、導電ワイヤーで制御回路又は制御器（コントローラー）に接続している。前記のように、駆動/検出単位１３０は容量性カップリング信号を提供する。また、防護導電ストライプは接続点Ｗ３を有し、接続点Ｗ３から導電ワイヤーで直流信号に接続する。
【０２１１】
図７Ｄを参照し、図７Ｄは本発明の第六実施例が開示する防護パターンを表す概略図である。防護パターンは多数の第三の導電ストライプ７５と第四の導電ストライプ７６を含み、第三の導電ストライプ７５と第四の導電ストライプ７６は互いに交差しており、第三の導電ストライプ７５と第四の導電ストライプ７６が交差する部分はカップリングしているか、分離している。第三の導電ストライプ７５の両側それぞれには１つの第二の導電ストライプ３２を有し、第一の導電ストライプ３１と第二の導電ストライプ３２は多数の交差区域に交差して互いに分離している。また、第一の導電ストライプ３１と第二の導電ストライプ３２が構成する導電ストライプパターンと防護パターンは互いに分離している。
【０２１２】
言い換えると、防護導電ストライプの両側それぞれは、第一の導電ストライプ３１に隣接しており、又は第二の導電ストライプ３２に隣接しており、そのうち、第一の導電ストライプ３１と第二の導電ストライプ３２の輪郭は隣接の防護導電ストライプの輪郭と一致する。
【０２１３】
図７Ｅを参照し、図７Ｅは本発明の第七実施例が開示する防護パターンを表す概略図である。第一の導電ストライプ３１と第二の導電ストライプ３２は多数の交差区域に交差し、第一の導電ストライプ３１と第二の導電ストライプ３２の間には防護導電ストライプ７７を有し、そのうち、防護導電ストライプ７７中の多数の開口と防護導電ストライプ７７間の間隙は第一の導電ストライプ３１と第二の導電ストライプ３２の露出部分を定義する。言い換えると、防護導電ストライプ７７は防護パターンを構成し、第一の導電ストライプ３１、第二の導電ストライプ３２と防護導電ストライプ７７は互いに露出し、そのうち、防護導電ストライプ７７と第一の導電ストライプ３１、第二の導電ストライプ３２のうちの１つ（二層構造で）又は両者（単層構造で）は同じ層に位置する。二層構造で、防護導電ストライプ７７の好ましい配置は絶縁表層に近い上層に位置することであり、そのうち、上層には第一の導電ストライプ３１を配置している。
【０２１４】
言い換えると、防護導電ストライプは多数の開口を有し、前記防護導電ストライプ間の間隙は第一の導電ストライプ及び第二の導電ストライプのうち１つを露出し、前記開口は前記第一の導電ストライプ及び第二の導電ストライプのうち他の１つを露出する。本発明の１つの好ましい例において、前記間隙は前記第一の導電ストライプを露出し、且つ前記開口は前記第二の導電ストライプを露出する。
【０２１５】
本発明の１つのより好ましい例において、防護パターンと前記第一の導電ストライプは同じ層に位置し、前記第二の導電ストライプと前記第一の導電ストライプは同じ層に位置し、又は、絶縁表層から遠く離れる層に位置し、また、前記外部導電物体は絶縁表層に接近又はタッチする。
【０２１６】
防護パターンが存在しないと、第一の導電ストライプと第二の導電ストライプは駆動信号によって電界を形成し、防護パターンが存在すると、第一の導電ストライプと第二の導電ストライプの間に存在する防護パターンは前記電界の一部を、第一の導電ストライプと防護パターンの間の電界に分流させ、第一の導電ストライプと第二の導電ストライプの間の電界は相対的に小さくなる。
【０２１７】
言い換えると、防護パターンが追加で提供する駆動信号が外部導電物体によって系（システム）の接地へ流す経路は、連れに、外部導電物体の接近又はタッチに対する信号は変化量を増加する。特に、絶縁表層が薄くなるほど、駆動信号が外部導電物体によって系の接地へ流す信号は大きくなる。
【０２１８】
人体は雑音（ノイズ）源の１つであり、タッチ時にノイズを注入し、伝送性干渉を作り、それは人体の接地電位は装置の接地電位と違いがあるから。例えば、伝送性干渉ＶＡは人体と受け端のカップリングであり、第二の導電ストライプＲｘ１が受ける干渉信号はIr＝（（Chr1）/（Chg1+Chr1+Cht1））*Inであり、式中、Ｉｎは伝送性干渉の電流を表す。Ｃｈｇ１はＣｈｒ１+Ｃｈｔ１よりすごく大ければ、又はＣｈｇ１はＣｈｒ１よりすごく大ければ、人体からノイズの抵抗能力は防護パターンの露出面積に正比例する。それによって、防護分離区域を調整することは伝送性干渉を大幅に減少させる。
【０２１９】
第一の導電ストライプと第二の導電ストライプは交差しないと、外部導電物体は絶縁表層に跨げる電界を影響し、絶縁表層の存在は、絶縁表層に接近又はタッチされる前の第二の導電ストライプの信号の基準値（baseline）を減少させる。それに対し、外部導電物体は絶縁表層に接近又はタッチするとき、第二の導電ストライプの信号変化量が顕著になる。
【０２２０】
特に注目すべきなのは防護パターンの露出面積が小さすぎると、又は絶縁表層の厚さは厚すぎると、防護パターンと人体の間の容量性カップリングは相対的に小さくなり、更に、無視できる。この設計の利点は第一の導電ストライプと第二の導電ストライプの間の直接容量性カップリングを孤立させ、第二の導電ストライプは接近又はタッチされないときに提供する容量性カップリング信号は相対的に小さくなる。即ち、基準値は相対的に小さくなり、それから、信号変化量は相対的に大きくなることが考えられる。基本的に、防護パターンが信号変化量に影響を与えることは小さいで、また、無視できる。例えば、第一の導電ストライプと防護パターンの間の電界線の全部又は一部は絶縁表層内であり、外部導電物体による影響は小さい又は影響はない電界線である。
【０２２１】
しかし、本発明が提供する技術手段では、防護パターンと外部導電物体の容量性カップリングが、第二の導電ストライプと外部導電物体の容量性カップリングより大きいであり、又は、導電ストライプパターンと外部導電物体の容量性カップリングより大きい。従って、ファントムタッチ影響を減少すること以外は、外部導電物体からノイズを減少する。特に、絶縁表層は０.５ｍｍ以下より小さいであり、更に、０.３ｍｍ以下より小さいであり、前記の利点はより明らかにする。相互容量性感知情報を連続差値又は連続二重差値に変換すれば、奥遮蔽層の配置は省略でき、静電容量方式タッチスクリーンは更に表層を薄くなり、連れに、奥層も更に薄くなる。さらに、静電容量方式タッチスクリーン全体の厚さは０.５ｍｍ以下になる可能性がある。
【０２２２】
図８を参照し、図８は本発明の第八実施例が開示する静電容量方式タッチスクリーンの検出方法を表す概略図である。まず、工程８１０示すように、防護パターンを持つ静電容量方式タッチスクリーンを提供し、防護パターンと静電容量方式タッチスクリーン上で導電ストライプパターンは互いに露出する。次に、工程８２０示すように、同時に連続的に一つの駆動信号を少なくとも一つの第一の導電ストライプに提供し、且つ、直流信号を駆動信号が提供されない第一の導電ストライプに提供する。また、工程８３０に示すように、駆動信号が毎回提供される時、第二の導電ストライプが提供する相互容量性カップリング信号によって一つの感知情報を生成する。そのうち、該感知情報の値それぞれは一対の第二の導電ストライプの信号の差又は３個の第二の導電ストライプ中の二対の第二の導電ストライプの信号の差の差であり、前記差は表示装置から送られるノイズを抑制する。
【０２２３】
先行技術では、負タッチに由来する外部導電物体の数は多くなるほど、駆動信号が多数の外部導電物体（前記のような第一の導電物体と第二の導電物体）の容量性カップリングによって相互容量性カップリング信号を提供する導電ストライプ（前記のような第二の導電ストライプ）へ流す信号量は大きくなる。その中で１つ又は多数の負タッチ信号は正タッチ信号の減少を起こると、正タッチの位置の誤判はなりやすい。そして、外部導電物体の位置を同時に判断できる数は、負タッチ信号に起因する正タッチ信号の減少の許容程度に限られている。この問題は相互容量性カップリング信号を提供する導電ストライプは外部導電物体とより近いとき、悪くなる。即ち、絶縁表層又は静電容量方式タッチスクリーンの厚さは薄くなるほど、負タッチ現象は大きくなる。
【０２２４】
逆に本発明の技術によれば、前記第二の外部導電物体と直流信号に接続する回路の容量性カップリング量は、相互容量性カップリング信号を提供する導電ストライプの間との容量性カップリング量より大きい。特に、負タッチに由来する外部導電物体の数は多くなるほど、又は、絶縁表層の厚さは薄くなるほど、前記第二の外部導電物体と直流信号に接続する回路の容量性カップリング量は、相互容量性カップリング信号を提供する導電ストライプの間との容量性カップリング量より更に大きくなるため、駆動信号が多数の外部導電物体の容量性カップリングによって相互容量性カップリング信号を提供する導電ストライプへ流す信号は小さくなる、それは先行技術の欠陥と反対になる。
【０２２５】
図９Ａを参照し、図９Ａは本発明の第九実施例が開示する静電容量方式タッチスクリーンを表す概略図である。静電容量方式タッチスクリーンは多数の第一の導電ストライプ９１、多数の第二の導電ストライプ９２と少なくとも１つの防護区域９３を含む。第一の導電ストライプ９１と第二の導電ストライプ９２それぞれは多数の導電プレート９４を含み、導電プレート９４と導電ストライプ（例えば、第一の導電ストライプ９１と第二の導電ストライプ９２）は「+」又は「T」形を構成する。本発明の１つの例において、隣接する両導電ストライプ上で、相対の両導電プレート同士間の距離は約２.６ｍｍである。
【０２２６】
本発明の１つの例において、第一の導電ストライプ９１それぞれは第一方向へ向きの多数の第一の接続線と第二方向へ向きの多数の第一の導電プレートを含み、前記第一の接続線は第一の導電プレートに接続している。また、第二の導電ストライプ９２それぞれは第二方向へ向きの多数の第二の接続線と第一方向へ向きの多数の第二の導電プレートを含み、前記第二の接続線は第二の導電プレートに接続している。言い換えると、前記第一の導電ストライプと前記第二の導電ストライプの接続線は導電ワイヤーと逆に向いている。
【０２２７】
防護区域９３は多数の覆わない空間を定義し、導電プレート９４は前記覆わない空間に位置する。導電ストライプと防護区域９３は同じ平面（単層構造（SITO））であり、互いに分離している。前記多数の第一の導電ストライプ９１と前記多数の第二の導電ストライプ９２両者の１つは架橋方式で前記両者の他の１つと防護区域９３を跨げる。また、導電ストライプと防護区域９３は二層構造であり、防護区域９３は第一の導電ストライプ９１又は第二の導電ストライプ９２と同じ平面である。本発明の１つの例において、防護区域９３は独立に第一の導電ストライプ９１と第二の導電ストライプ９２以外の一層に位置することができ、第一の導電ストライプ９１と第二の導電ストライプ９２との上に、中間に、又は下に位置することがよい。第一の導電ストライプ９１と第二の導電ストライプ９２との上にはより好ましい。本発明の他の１つの例において、第一の導電ストライプ９１は駆動信号が提供される導電ストライプであり、第二の導電ストライプ９２との上に位置し、第二の導電ストライプ９２よりタッチ物体に近い、第二の導電ストライプ９２は感知される導電ストライプであり、即ち、操作的に感知回路に接続する導電ストライプであり、タッチ物体の位置情報を提供するか、静電容量方式タッチスクリーン上で相互容量性カップリングのイメージを提供する。
【０２２８】
本実施例で、「+」又は「T」形の導電プレート９４が構成する導電ストライプは導電ストライプ分布の垂直と水平方向と一致する。菱形の導電ストライプに比べると、直線を引くとき、信号に表す座標が構成する直線は鋸歯状になる場合が顕著に減少される。さらに、防護区域９３を組み合わせると、鋸歯状の状況を減少させる条件で、ファントムタッチ信号（負タッチ信号）が実タッチ信号（正タッチ信号）に影響することを同時に減少させ、ファントムタッチの誤判又は直線を引くときの断線ことを減少させる。「+」又は「T」形の導電プレート９４を有しない導電ストライプに対し、「+」又は「T」形の導電プレート９４を有する静電容量方式タッチスクリーンは比較的により少ない導電ストライプを利用するが、ほぼ同じ精度の座標を提供できる。
【０２２９】
本発明の１つの例において、図９Ｃに示すように、静電容量方式タッチスクリーンは１つの防護層９５を更に含み、防護層９５は表示装置９６からノイズをシールドするため、静電容量方式タッチスクリーンと表示装置９６（例えば、液晶表示装置）の間に配置される。
【０２３０】
図１０Ａ〜図１０Ｃを参照し、図１０Ａ〜図１０Ｃは本発明の第十実施例が開示する静電容量方式タッチスクリーンを表す概略図である。静電容量方式タッチスクリーンは多数の第一の導電ストライプ１０１と、多数の第二の導電ストライプ１０２、多数の防護導電ストライプ１０３、１０４と、防護導電ストライプ１０３、１０４に接続する防護ワイヤー１０５、１０６とを含む。そのうち、防護導電ストライプ１０３と１０４それぞれは防護導電プレート１０７を有し、第一の導電ストライプ１０１と第二の導電ストライプ１０２は互いに多数の交差区域に交差している。前記防護導電ストライプ１０３は多数の防護連接線を防護導電プレート１０７に直列に接続することによって構成する。前記導電ストライプパターンは前記第一の導電ストライプ１０１と前記第二の導電ストライプ１０２を含み、且つ前記導電ストライプパターンは前記防護導電ストライプ１０３、１０４を含み、そのうち、前記防護導電ストライプ１０３、１０４は前記防護ワイヤー１０５、１０６から直流電位が提供される。
【０２３１】
本発明の１つの例において、前記第一の導電ストライプ１０１と前記第二の導電ストライプ１０２は長いストライプ状であり、互いに交差し、互いに露出し、前記防護導電プレート１０７を露出する多数の露出空間のグリッド（grids）を構成する。本実施例で、防護導電プレート１０７は四角形であるが、防護導電プレート１０７の形態は円形や楕円形や他の幾何的形を含むこともできる。本発明の１つの好ましい例において、前記防護導電プレート１０７の形態は前記露出空間と一致する。本発明の他の１つの例において、露出空間それぞれは１つ又は多数の防護導電プレートを露出する。
【０２３２】
前記防護導電ストライプ１０３、１０４それぞれは多数の防護連接線を防護導電プレート１０７に直列に接続することによって構成する。本発明の１つの例において、静電容量方式タッチ感知器は前記防護導電ストライプ１０３と１０４の両者の１つを有する。本発明の他の１つの例において、静電容量方式タッチ感知器は前記防護導電ストライプ１０３と１０４の両者を有し、そのうち、前記防護導電ストライプ１０３と１０４の防護導電プレート１０７は２つごとに互いに重なっている。
【０２３３】
図１０Ｄと図１０Ｅを参照し、図１０Ｄと図１０Ｅは導電ストライプ間の距離と防護導電プレートの大きさがタッチ物体の有効タッチ範囲より小さいであり、そのうち、有効タッチ範囲は有効に実タッチ信号を生成できる範囲である。しかし、有効タッチ範囲は人によって違いから、予定値で定義されることができる。本発明の１つの例において、有効タッチ範囲は少なくとも同時に１つの交差区域と１つの防護導電プレート１０７を覆う。
【０２３４】
本発明の１つの好ましい例において、上層と下層を含む二層構造に応用し、前記第一の導電ストライプ又は駆動される導電ストライプは上層に配置され、前記第二の導電ストライプは下層に配置され、上層と下層は絶縁中間層介して分離する。言い換えると、前記第一の導電ストライプと前記第二の導電ストライプは絶縁中間層介して違い層にそれぞれ配置されている。本発明の１つの例において、防護パターンは多数の上層防護導電ストライプと多数の下層防護導電ストライプを含み、前記上層防護導電ストライプは第一の導電ストライプと同じ層に隣接しており、且つ、前記下層防護導電ストライプは第二の導電ストライプと同じ層に隣接している。本発明の他の１つの例において、第一の防護導電ストライプと第二の防護導電ストライプの防護導電プレートは上と下と重なって交差している。本発明のもう１つの例において、防護パターンは多数の防護導電ストライプを含み、且つ、第一の導電ストライプと同じ層に隣接している。即ち、防護導電ストライプは一層だけに配置される。同様に、防護導電ストライプは第一の導電ストライプと同じ層に隣接していることもよい。
【０２３５】
本発明の他の１つの例において、連続多数の導電ストライプの信号によって、感知回路は隣接の両導電ストライプの差値又は差値信号を提供し、隣接の両導電ストライプの信号の減算によって、表示装置から大部分のノイズを除去し、タッチ物体の位置を提供するか、静電容量方式タッチスクリーン上で相互容量性カップリングのイメージを提供する。感知回路は全ての第二の導電ストライプの信号を同時に取得し、又は全ての第二の導電ストライプの信号を段階に取得する。本発明の１つの好ましい例において、全ての第二の導電ストライプの信号を同時に取得し、例えば、サンプリング維持回路で同時に取得し、そして、除去するノイズが同時に発生するノイズであることを確保し、ノイズの干渉を最低にさせる。そして、防護層を持たないでも、表示装置からノイズを阻止することができる。
【０２３６】
本発明のもう１つの例において、連続多数の導電ストライプの信号によって、感知回路は隣接の両導電ストライプの二重差値又は二重差値信号を提供し、隣接の両導電ストライプの信号の減算によって、表示装置から大部分のノイズを除去する。二重差値又は二重差値信号は導電ストライプの信号それぞれから隣接の導電ストライプの信号の差値又は差値信号を引いてから、さらに隣接の導電ストライプの信号の差値又は差値信号を引いて生成する。静電容量方式タッチスクリーンはタッチによる変形を生成するとき、各第二の導電ストライプと表示装置の距離は圧力を受けて変化する可能性があり、各第二の導電ストライプが表示装置からノイズを受けることは違いがある。二重差値又は二重差値信号は表示装置から大部分のノイズを除去できるだけではなく、さらに、各第二の導電ストライプと表示装置の距離変化によるノイズを除去できる。
【０２３７】
直流信号と駆動信号は前記制御器（コントローラー）で提供され、制御器は駆動信号が毎回提供される時、第二の導電ストライプが提供する相互容量性カップリング信号によって一つの感知情報を生成する。それに応じて、静電容量方式タッチスクリーンと制御器は静電容量方式タッチ装置を構成する。
【０２３８】
以上の実施例は本発明を説明するために提示されたものであり、本発明の範囲を制限するものではなく、本発明の要旨より離脱せずに当業者がなしうる各種の変更或いは修飾することは、本発明の請求範囲に属するものとする。
【符号の説明】
【０２３９】
Ａ、Ｂ  指
Ｄ  駆動信号
Ｉ  信号
ＳＩ  感知情報
ＳＡ、ＳＢ  タッチ関連感知情報
１００  検出装置
１１０  表示装置
１２０  感知装置
１２０Ａ  第一感知層
１２０Ｂ  第二感知層
１３０  駆動/検出単位
１４０  導電ストライプ
１６０  コントローラー
１６１  処理器
１６２  メモリー
１７０  ホスト
１７１  中央演算処理単位
１７３  記憶単位
１１、１３、１４、１６  導電プレート
１２  接続線
１５  第一の接続線
１７  絶縁基材
１８  絶縁層
１９  絶縁表層
ＳＤ  駆動信号
Ｐ１  第一タッチ区域
Ｐ２  第二タッチ区域
Ｈ１  第一指
Ｈ２  第二指
１４０Ａ、Ｔｘ１、Ｔｘ２  第一の導電ストライプ
１４０Ｂ、Ｒｘ１、Ｒｘ２  第二の導電ストライプ
Ｓｇ  人体から地へ流す信号
Ｓ１  導電ストライプから流出する信号
Ｓ２  導電ストライプへ流入する信号
Ｓｒ１、Ｓｒ２  検出される信号
Ｃｔｒ１  第一の導電ストライプＴｘ１と第二の導電ストライプＲｘ１の間の容量性カップリング量
Ｃｈｔ１  第一の導電ストライプＴｘ１と第一指Ｈ１の間の容量性カップリング量
Ｃｈｒ１  第二の導電ストライプＲｘ１と第一指Ｈ１の間の容量性カップリング量
Ｃｔｒ２  第一の導電ストライプＴｘ２と第二の導電ストライプＲｘ２の間の容量性カップリング量
Ｃｈｔ２  第一の導電ストライプＴｘ２と第二指Ｈ２の間の容量性カップリング量
Ｃｈｒ２  第二の導電ストライプＲｘ２と第二指Ｈ２の間の容量性カップリング量
Ｃｈｇ  人体と装置の間の容量性カップリング量
Ｃｈｇ１  第一指と導電ストライプパターンの間の容量性カップリング量
Ｃｈｇ２  第二指と導電ストライプパターンの間の容量性カップリング量
Ｒ  抵抗
Ｃｒ  第二指と第二の導電ストライプの間の容量性カップリング量
Ｃｇ  第二指と直流信号が提供される回路の間の容量性カップリング量
Ｉｒ  第二の導電ストライプへ流入する信号
Ｉｇ  直流信号が提供される回路へ流入する信号
３０  導電ストライプパターン
３１  第一の導電ストライプ
３２  第二の導電ストライプ
３３  第一の導電プレート
３４  第二の導電プレート
３５  開口
３６  仮導電プレート
４１  零交差箇所
４２  ピーク
７１  防護プレート
７２  防護連接線
７３、７５  第三の導電ストライプ
７４、７６  第四の導電ストライプ
７７  防護導電ストライプ
Ｗ１、Ｗ２、Ｗ３  接続点
９１  第一の導電ストライプ
９２  第二の導電ストライプ
９３  防護区域
９４  導電プレート
９５  防護層
９６  表示装置
１０１  第一の導電ストライプ
１０２  第二の導電ストライプ
１０３、１０４  防護導電ストライプ
１０５、１０６  防護導電ワイヤー
１０７  防護導電プレート
【図１Ａ】
0005956462.tif 000002
【図１Ｂ】
0005956462.tif 000003
【図１Ｃ】
0005956462.tif 000004
【図１Ｄ】
0005956462.tif 000005
【図１Ｅ】
0005956462.tif 000006
【図１Ｆ】
0005956462.tif 000007
【図１Ｇ】
0005956462.tif 000008
【図１Ｈ】
0005956462.tif 000009
【図２Ａ】
0005956462.tif 000010
【図２Ｂ】
0005956462.tif 000011
【図３Ａ】
0005956462.tif 000012
【図３Ｂ】
0005956462.tif 000013
【図４Ａ】
0005956462.tif 000014
【図４Ｂ】
0005956462.tif 000015
【図５】
0005956462.tif 000016
【図６】
0005956462.tif 000017
【図７Ａ】
0005956462.tif 000018
【図７Ｂ】
0005956462.tif 000019
【図７Ｃ】
0005956462.tif 000020
【図７Ｄ】
0005956462.tif 000021
【図７Ｅ】
0005956462.tif 000022
【図８】
0005956462.tif 000023
【図９Ａ】
0005956462.tif 000024
【図９Ｂ】
0005956462.tif 000025
【図９Ｃ】
0005956462.tif 000026
【図１０Ａ】
0005956462.tif 000027
【図１０Ｂ】
0005956462.tif 000028
【図１０Ｃ】
0005956462.tif 000029
【図１０Ｄ】
0005956462.tif 000030
【図１０Ｅ】
0005956462.tif 000031